(57)【要約】  【課題】  ＤＶＤ−Ｖｉｄｅｏ規格のデジタルコンテンツを記録媒体に一度記録した後であっても、その記録されたデジタルコンテンツを編集できるようにすると共に、秘密にされた特典コンテンツ（秘密コンテンツ）への不正アクセスやコピーを防止できるようにする。  【解決手段】  第１の再生制御情報を記録媒体１０７から読み出す記録データ読み出し部１０１と、第２の再生制御情報を外部メモリ１０８から読み出す制御情報読み出し部１０６と、第１及び第２の再生制御情報のうちの少なくとも１つを参照制御情報として選択する制御情報制御部１０２と、参照制御情報を参照することにより、記録媒体１０７に記録されたデジタルコンテンツを再生する再生手段（１０４及び１０５）とを備える。【選択図】      図１
2005124008.tif 000002
【特許請求の範囲】
【請求項１】
記録デジタルコンテンツが記録されている第１の記録媒体から、前記記録デジタルコンテンツを読み出す第１のデータ読み出し手段と、
前記記録デジタルコンテンツを再生するために必要な第１の再生制御情報が記録された第２の記録媒体から、前記第１の再生制御情報を読み出す第２のデータ読み出し手段と、
前記第１の再生制御情報を参照することにより前記記録デジタルコンテンツを再生デジタルコンテンツとして再生する再生手段とを備えていることを特徴とするデジタルコンテンツ再生装置。
【請求項２】
前記第１の記録媒体には、前記記録デジタルコンテンツを再生するために必要な第２の再生制御情報が記録されており、
前記第１のデータ読み出し手段は、前記第２の再生制御情報を読み出し、
前記記録デジタルコンテンツを再生する際に参照される参照制御情報として、前記第１の再生制御情報及び前記第２の再生制御情報のうちの少なくとも１つを選択する制御情報選択手段を更に備え、
前記再生手段は、前記参照制御情報を参照することにより前記記録デジタルコンテンツを再生することを特徴とする請求項１に記載のデジタルコンテンツ再生装置。
【請求項３】
前記第２の記録媒体は、内部メモリ、外部メモリ、又はネットワーク上で利用可能になっている記録媒体であることを特徴とする請求項１又は２に記載のデジタルコンテンツ再生装置。
【請求項４】
記録デジタルコンテンツ、前記記録デジタルコンテンツを再生するために必要な第１の再生制御情報、及び前記記録デジタルコンテンツを再生するために必要な第２の再生制御情報が記録された記録媒体から、前記記録デジタルコンテンツ、前記第１の再生制御情報、及び前記第２の再生制御情報を読み出すデータ読み出し手段と、
前記記録デジタルコンテンツを再生する際に参照される参照制御情報として、前記第１の再生制御情報及び前記第２の再生制御情報のうちの少なくとも１つを選択する制御情報選択手段と、
前記参照制御情報を参照することにより前記記録デジタルコンテンツを再生デジタルコンテンツとして再生する再生手段とを備えていることを特徴とするデジタルコンテンツ再生装置。
【請求項５】
前記第１の再生制御情報を参照することにより再生される前記再生デジタルコンテンツの再生順序と、前記第２の再生制御情報を参照することにより再生される前記再生デジタルコンテンツの再生順序とは異なることを特徴とする請求項２〜４のいずれか１項に記載のデジタルコンテンツ再生装置。
【請求項６】
前記記録デジタルコンテンツがＤＶＤ−Ｖｉｄｅｏ規格に準拠して記録されている場合、前記第１の再生制御情報及び前記第２の再生制御情報は、それぞれビデオタイトルセット情報（ＶＴＳＩ）又はビデオマネージャ情報（ＶＭＧＩ）であることを特徴とする請求項２〜５のいずれか１項に記載のデジタルコンテンツ再生装置。
【請求項７】
前記第１の再生制御情報及び前記第２の再生制御情報のうちの少なくとも１つに基づいて、第３の再生制御情報を構築する制御情報構築手段を更に備え、
前記制御情報選択手段は、前記第１の再生制御情報、前記第２の再生制御情報、及び前記第３の再生制御情報のうちの少なくとも１つを前記参照制御情報として選択することを特徴とする請求項２〜６のいずれか１項に記載のデジタルコンテンツ再生装置。
【請求項８】
前記第１の再生制御情報及び前記第２の再生制御情報のうちのいずれか１つを参照することにより再生される前記再生デジタルコンテンツの再生順序と、前記第３の再生制御情報を参照することにより再生される前記再生デジタルコンテンツの再生順序とは異なることを特徴とする請求項７に記載のデジタルコンテンツ再生装置。
【請求項９】
記録デジタルコンテンツ及び前記記録デジタルコンテンツを再生するために必要な第１の再生制御情報が記録された記録媒体から、前記記録デジタルコンテンツ及び前記第１の再生制御情報を読み出す読み出し手段と、
前記再生制御情報に基づいて、第２の再生制御情報を構築する制御情報構築手段と、
前記記録デジタルコンテンツを再生する際に参照される参照制御情報として、前記第１の再生制御情報及び前記２の再生制御情報のうちの少なくとも１つを選択する制御情報選択手段と、
前記参照制御情報を参照することにより前記記録デジタルコンテンツを再生デジタルコンテンツとして再生する再生手段とを備えていることを特徴とするデジタルコンテンツ再生装置。
【請求項１０】
前記第１の再生制御情報を参照することにより再生される前記再生デジタルコンテンツの再生順序と、前記第２の再生制御情報を参照することにより再生される前記再生デジタルコンテンツの再生順序とは異なることを特徴とする請求項９に記載のデジタルコンテンツ再生装置。
【請求項１１】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＰｒｏｇｒａｍ単位で指定できることを特徴とする請求項７〜１０のいずれか１項に記載のデジタルコンテンツ再生装置。
【請求項１２】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＣＥＬＬ−ＩＤ単位で指定できることを特徴とする請求項７〜１０のいずれか１項に記載のデジタルコンテンツ再生装置。
【請求項１３】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＶＯＢＵ（Ｖｉｄｅｏ  Ｏｂｊｅｃｔ  Ｕｎｉｔ）単位で指定できることを特徴とする請求項７〜１０のいずれか１項に記載のデジタルコンテンツ再生装置。
【請求項１４】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＰＴＳ（Ｐｒｅｓｅｎｔａｔｉｏｎ  Ｔｉｍｅ  Ｓｔａｍｐ）単位で指定できることを特徴とする請求項７〜１０のいずれか１項に記載のデジタルコンテンツ再生装置。
【請求項１５】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＰＴＴ（Ｐａｒｔ  ｏｆ  Ｔｉｔｌｅ）単位のエントリポイントにより指定できることを特徴とする請求項７〜１０のいずれか１項に記載のデジタルコンテンツ再生装置。
【請求項１６】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＰｒｏｇｒａｍ単位のエントリポイントにより指定できることを特徴とする請求項７〜１０のいずれか１項に記載のデジタルコンテンツ再生装置。
【請求項１７】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＣＥＬＬ−ＩＤ単位のエントリポイントにより指定できることを特徴とする請求項７〜１０のいずれか１項に記載のデジタルコンテンツ再生装置。
【請求項１８】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＶＯＢＵ単位のエントリポイントにより指定できることを特徴とする請求項７〜１０のいずれか１項に記載のデジタルコンテンツ再生装置。
【請求項１９】
前記記録デジタルコンテンツがＤＶＤ−Ｖｉｄｅｏ規格に準拠して記録されている場合、
前記制御情報構築手段は、前記参照制御情報を参照することにより再生される前記再生デジタルコンテンツの再生順序の編集を行なう開始点及び終了点のうちの少なくとも１つを、前記参照制御情報におけるＰＴＳ単位のエントリポイントにより指定できることを特徴とする請求項７〜１０のいずれか１項に記載のデジタルコンテンツ再生装置。
【請求項２０】
前記記録デジタルコンテンツは暗号化されており、
前記第２のデータ読み出し手段は、前記記録デジタルコンテンツの暗号化された部分を復号化するための暗号鍵が記録され且つ前記第１の記録媒体とは異なる他の記録媒体から、前記暗号鍵を読み出し、
前記再生手段は、前記記録デジタルコンテンツを再生する際、前記記録デジタルコンテンツの暗号化された部分を前記暗号鍵を用いて復号化することを特徴とする請求項１又は２に記載のデジタルコンテンツ再生装置。
【請求項２１】
前記記録デジタルコンテンツは暗号化されており、
前記記録デジタルコンテンツの暗号化された部分を復号化するための暗号鍵が記録され且つ前記第１の記録媒体とは異なる他の記録媒体から、前記暗号鍵を読み出す第３のデータ読み出し手段を更に備え、
前記再生手段は、前記記録デジタルコンテンツを再生する際、前記記録デジタルコンテンツの暗号化された部分を前記暗号鍵を用いて復号化することを特徴とする請求項１又は２に記載のデジタルコンテンツ再生装置。
【請求項２２】
記録デジタルコンテンツが記録された第１の記録媒体から前記記録デジタルコンテンツを読み出す工程と、
前記記録デジタルコンテンツを再生するために必要な再生制御情報を、前記第１の記録媒体とは異なる第２の記録媒体から読み出す工程と、
前記再生制御情報を参照することにより、前記記録デジタルコンテンツを再生デジタルコンテンツとして再生する工程とを備えていることを特徴とするデジタルコンテンツ再生方法。
【請求項２３】
記録デジタルコンテンツ及び前記記録デジタルコンテンツを再生するために必要な第１の再生制御情報が記録された第１の記録媒体から前記記録デジタルコンテンツ及び前記第１の再生制御情報を読み出す工程と、
前記記録デジタルコンテンツを再生するために必要な第２の再生制御情報が記録された第２の記録媒体から前記第２の再生制御情報を読み出す工程と、
前記記録デジタルコンテンツを再生する際に参照される参照制御情報として、前記第１の再生制御情報及び前記第２の再生制御情報のうちの少なくとも１つを選択する工程と、
前記参照制御情報を参照することにより、前記記録デジタルコンテンツを再生する工程とを備えていることを特徴とするデジタルコンテンツ再生方法。
【請求項２４】
前記記録デジタルコンテンツは暗号化されており、
前記記録デジタルコンテンツを再生する工程の前に、前記記録デジタルコンテンツの暗号化された部分を復号化するための暗号鍵が記録され且つ前記第１の記録媒体とは異なる他の記録媒体から、前記暗号鍵を読み出す工程を備え、
前記記録デジタルコンテンツを再生する工程は、前記記録デジタルコンテンツを前記暗号鍵を用いて復号化する工程を含んでいることを特徴とする請求項２２又は２３に記載のデジタルコンテンツ再生方法。
【請求項２５】
記録デジタルコンテンツと、
前記記録デジタルコンテンツを再生するために必要な再生制御情報とが記録され、
前記再生制御情報を参照することにより再生されるのは、前記記録デジタルコンテンツの一部に限られていることを特徴とする記録媒体。
【請求項２６】
前記記録デジタルコンテンツは暗号化されており、
前記記録デジタルコンテンツの暗号化された部分を復号化するための暗号鍵が更に記録され、
前記暗号鍵を用いて復号化されるのは、前記記録デジタルコンテンツの一部に限られていることを特徴とする請求項２５に記載の記録媒体。
【請求項２７】
記録デジタルコンテンツと、前記記録デジタルコンテンツを再生するために必要な第１の再生制御情報とが記録された第１の記録媒体と、
前記記録デジタルコンテンツを再生するために必要な第２の再生制御情報が記録された第２の記録媒体とから少なくともなる記録媒体群であって、
前記第１の再生制御情報を参照することにより再生されるのは前記記録デジタルコンテンツの特定部分に限られており、
前記特定部分以外の前記記録デジタルコンテンツは、前記第２の再生制御情報を参照することにより再生されることを特徴とする記録媒体群。
【請求項２８】
前記第１の記録デジタルコンテンツは暗号化されており、
前記第２の記録媒体には、前記第１の記録デジタルコンテンツにおける暗号化された部分を復号化するための暗号鍵が更に記録されていることを特徴とする請求項２７に記載の記録媒体群。
【請求項２９】
暗号化された記録デジタルコンテンツが記録されている第１の記録媒体から、前記記録デジタルコンテンツを読み出す第１のデータ読み出し手段と、
前記記録デジタルコンテンツを復号化するための暗号鍵が記録された第２の記録媒体から、前記暗号鍵を読み出す第２のデータ読み出し手段と、
前記記録デジタルコンテンツを再生する際に、前記記録デジタルコンテンツを前記暗号鍵を用いて復号化する再生手段とを備えていることを特徴とするデジタルコンテンツ再生装置。
【請求項３０】
暗号化された記録デジタルコンテンツ及び前記記録デジタルコンテンツの暗号化された部分のうちの特定部分を復号化するための第１の暗号鍵が記録された第１の記録媒体から、前記第１の暗号鍵を読み出す第１のデータ読み出し手段と、
前記記録デジタルコンテンツの暗号化された部分のうち前記特定部分以外の部分を復号化するための第２の暗号鍵が記録された第２の記録媒体から、前記第２の暗号鍵を読み出す第２のデータ読み出し手段と、
前記記録デジタルコンテンツを再生する際に、前記記録デジタルコンテンツを前記第１の暗号鍵及び前記第２の暗号鍵のうちの少なくとも１つを用いて復号化する再生手段とを備えていることを特徴とするデジタルコンテンツ再生装置。
【請求項３１】
前記第２の記録媒体は、内部メモリ、外部メモリ、又はネットワーク上で利用可能になっている記録媒体であることを特徴とする請求項２９又は３０に記載のデジタルコンテンツ再生装置。
【請求項３２】
暗号化された記録デジタルコンテンツが記録された第１の記録媒体から、前記記録デジタルコンテンツを読み出す工程と、
前記記録デジタルコンテンツを復号化するための暗号鍵が記録された第２の記録媒体から、前記暗号鍵を読み出す工程と、
前記記録デジタルコンテンツを再生する際に、前記記録デジタルコンテンツを前記暗号鍵を用いて復号化する工程とを備えていることを特徴とするデジタルコンテンツ再生方法。
【請求項３３】
暗号化された記録デジタルコンテンツ及び前記記録デジタルコンテンツの暗号化された部分のうちの特定部分を復号化するための第１の暗号鍵が記録された第１の記録媒体から、前記記録デジタルコンテンツ及び前記第１の暗号鍵を読み出す工程と、
前記記録デジタルコンテンツの暗号化された部分のうち前記特定部分以外の部分を復号化するための第２の暗号鍵が記録された第２の記録媒体から、前記第２の暗号鍵を読み出す工程と、
前記記録デジタルコンテンツを再生する際に、前記第１の暗号鍵及び前記第２の暗号鍵のうちの少なくとも１つを用いて前記記録デジタルコンテンツを復号化する工程とを備えていることを特徴とするデジタルコンテンツ再生方法。
【請求項３４】
暗号化された記録デジタルコンテンツと、
前記記録デジタルコンテンツを復号化するための暗号鍵とが記録され、
前記暗号鍵により復号化されるのは、前記記録デジタルコンテンツの一部に限られていることを特徴とする記録媒体。
【請求項３５】
暗号化された記録デジタルコンテンツが記録された第１の記録媒体と、
前記記録デジタルコンテンツを復号化するための暗号鍵が記録された第２の記録媒体とから少なくともなることを特徴とする記録媒体群。
【請求項３６】
デジタルコンテンツを記録媒体に記録する工程と、
前記デジタルコンテンツの一部を再生するために必要な再生制御情報に限り前記記録媒体に記録する工程とを備え、
前記再生制御情報を参照することによって再生されない前記デジタルコンテンツを秘密コンテンツとすることを特徴とする秘密コンテンツの記録方法。
【請求項３７】
前記デジタルコンテンツを記録する工程は、暗号化された前記デジタルコンテンツを前記記録媒体に記録する工程を含んでいることを特徴とする請求項３６に記載の秘密コンテンツの記録方法。
【請求項３８】
暗号化されたデジタルコンテンツを記録媒体に記録する工程と、
前記デジタルコンテンツの暗号化された部分のうちの特定部分を復号化するための暗号鍵に限り前記記録媒体に記録する工程とを備え、
前記特定部分以外の前記デジタルコンテンツを秘密コンテンツとすることを特徴とする秘密コンテンツの記録方法。
【請求項３９】
記録デジタルコンテンツが記録されている第１の記録媒体から、前記記録デジタルコンテンツを読み出す第１のデータ読み出し手段と、
前記記録デジタルコンテンツをコピーするために必要な第１のコピー制御情報が記録された第２の記録媒体から、前記第１のコピー制御情報を読み出す第２のデータ読み出し手段と、
前記第１のコピー制御情報を参照することにより前記記録デジタルコンテンツをコピーデジタルコンテンツとしてコピーするコピー手段とを備えていることを特徴とするデジタルコンテンツコピー装置。
【請求項４０】
請求項１に記載のデジタルコンテンツ再生装置において、
前記第１の記録媒体には、前記記録デジタルコンテンツをコピーするために必要なコンテンツコピー制御情報が記録されており、
前記第１のデータ読み出し手段は、前記第１の記録媒体から前記コンテンツコピー制御情報を読み出し、
前記第１の記録媒体から前記記録デジタルコンテンツをコピーすることが前記コンテンツコピー制御情報により禁止されている場合に、前記再生手段により再生されたコンテンツの他の記録媒体へのコピーを防止するコンテンツコピー制御手段をさらに備えていることを特徴とするデジタルコンテンツ再生装置。
【発明の詳細な説明】
【技術分野】
【０００１】
本発明は、デジタルコンテンツが記録された記録媒体、記録媒体に記録されたデジタルコンテンツを再生する装置、記録媒体に記録されたデジタルコンテンツを再生する方法、及び秘密コンテンツを記録する方法に関する。特に、記録媒体に記録された制御情報を参照しないでデジタルコンテンツを再生する方法に関する。
【背景技術】
【０００２】
近年、ＤＶＤ−Ｖｉｄｅｏ規格などで記録媒体に記録されて発売されるデジタルコンテンツ、記録媒体に記録されたデジタルコンテンツを再生する装置、又はＤＶＤ−Ｒなどの一回限りの書き込みが許された記録媒体などに対して、ＤＶＤ−Ｖｉｄｅｏ規格のデジタルコンテンツ（ＤＶＤ−Ｖｉｄｅｏコンテンツ）を再生できるだけでなく、個人が簡単にＤＶＤ−Ｖｉｄｅｏコンテンツを記録できる記録再生装置の利用が増加している（例えば非特許文献１参照）。
【０００３】
このような記録装置を用いて一般ユーザにより作成されたＤＶＤ−Ｖｉｄｅｏコンテンツなどは、コンテンツプロバイダによって作成されたＤＶＤ−Ｖｉｄｅｏコンテンツに比べると、内容的に洗練されているとは言い難い。このため、一旦作成してしまったＤＶＤ−Ｖｉｄｅｏコンテンツを、その後に編集などをして楽しみたいという要望が多くなることが考えられる。同様に、販売されている記録媒体においても、記録されているデジタルコンテンツのうち自分の好みのシーンだけを見たいなどの要望が生じることも考えられる。
【０００４】
また、記録媒体を通じて販売されているデジタルコンテンツの中には、従来のＶＴＲには入っていなかったメイキング映像などの特典映像若しくは特典画像、又はゲーム機で楽しむことのできる特別なゲームコンテンツ等が特典コンテンツとして含まれていることがある。このため、特典コンテンツを期待するユーザの増加が、デジタルコンテンツの普及の一役を担っている。このような特典コンテンツが含まれている記録媒体には、ユーザが特典コンテンツを利用できるようにするために作られたメニューなどが記録されている。このため、ユーザは、従来のデジタルコンテンツ再生装置を用いてメニューなどから特典コンテンツを楽しむことができる（例えば非特許文献１参照）。
【０００５】
以下、上記のＤＶＤ−Ｖｉｄｅｏコンテンツ又はこれに含まれる特典コンテンツを再生する従来のＤＶＤ−Ｖｉｄｅｏ再生装置について図面を参照しながら具体的に説明する。
【０００６】
図１０は、従来のＤＶＤ−Ｖｉｄｅｏ再生装置の構成を示すブロック図である。
【０００７】
図１０に示すように、ＤＶＤ−Ｖｉｄｅｏ再生装置１ａは、記録データ読み出し部２と、制御情報解析部３と、再生データ取得部４と、再生データ復号部５とから構成される。
【０００８】
上記の構成により、例えばＤＶＤ−Ｖｉｄｅｏ規格の記録媒体６に記録されたデジタルコンテンツ（記録デジタルコンテンツ）を再生する場合、まず、制御情報解析部３が、記録デジタルコンテンツを再生するために必要な制御情報（ナビゲーションデータ）を記録媒体６から取得するように記録データ読み出し部２に要求する。ナビゲーションデータの取得を要求された記録データ読み出し部２は、記録媒体６に記録されたナビゲーションデータ（記録ナビゲーションデータ）を読み出した後、読み出された記録ナビゲーションデータを制御情報解析部３に送る。記録ナビゲーションデータを送られた制御情報解析部３は、この記録ナビゲーションデータを参照することにより、記録媒体６に実際に記録されている記録デジタルコンテンツの再生位置を再生データ取得部４に送る。記録デジタルコンテンツの再生位置を送られた再生データ取得部４は、再生する記録デジタルコンテンツ（再生データ）を取得するように記録データ読み出し部２に要求する。再生データの取得を要求された記録データ読み出し部２は、取得を要求された再生データを記録媒体６から読み出した後、読み出された再生データを再生データ取得部４に送る。再生データを送られた再生データ取得部４は、この再生データを再生データ復号部５に送る。再生データを送られた再生データ復号部５は、ＭＰＥＧ形式で圧縮された再生データのデコードを行なう。これにより、再生データに基づく映像及び音声が再生される。
【０００９】
以上に説明したように、従来のＤＶＤ−Ｖｉｄｅｏ再生装置１ａは、記録媒体６に記録されている記録ナビゲーションデータを参照することにより、同じく記録媒体６に記録されている記録デジタルコンテンツの再生を行なう。
【００１０】
次に、記録媒体６に記録された記録ナビゲーションデータの構成と、この記録ナビゲーションデータを参照することにより再生されるデータ（再生データ）との関係を説明する。
【００１１】
図１１（ａ）は、記録媒体６に記録された記録ナビゲーションデータ１０の構成を示す図である。
【００１２】
また、図１１（ｂ）は、図１１（ａ）に示す記録ナビゲーションデータ１０によって指定される、記録媒体６に実際に記録されたデータ（実データ）を示す図である。
【００１３】
また、図１１（ｃ）は、図１１（ｂ）に示す実データが、図１１（ａ）に示す記録ナビゲーションデータ１０を参照することにより再生される順序（再生順序）を示す図である。
【００１４】
図１１（ａ）に示すように、記録ナビゲーションデータ１０を構成する例えばＰＧＣ（Ｐｒｏｇｒａｍ  Ｃｈａｉｎ）＃１は、実データのＣＥＬＬ−ＩＤをそれぞれ指定するＰＧ（Ｐｒｏｇｒａｍ）＃１〜＃５から構成される。また、例えばＰＧ＃１を構成する例えばＣＥＬＬ−ＩＤ＃１により、更に実データのＶＯＢＳ（Ｖｉｄｅｏ  ｏｂｊｅｃｔ  ｓｅｔ）におけるＶＯＢＵ（Ｖｉｄｅｏ  Ｏｂｊｅｃｔ  Ｕｎｉｔ）＃１及び＃２が指定される。
【００１５】
このため、図１１（ａ）に示す再生ナビゲーション１０を参照することにより再生される図１１（ｂ）に示すＶＯＢＵ（実データ）の再生順序は、図１１（ｃ）のようになる。すなわち、図１１（ｃ）に示すように、記録媒体６に記録されたデジタルコンテンツは、同じ記録媒体６に記録された記録ナビゲーションデータ１０によって指定された順番に基づいて再生される。
【００１６】
ところで、ＤＶＤ−Ｖｉｄｅｏ規格では、ＣＳＳ（Ｃｏｎｔｅｎｔ  Ｓｃｒａｍｂｌｉｎｇ  Ｓｙｓｔｅｍ）によって記録デジタルコンテンツの暗号化が図られている。これにより、記録デジタルコンテンツの不正コピーの防止が図られている。
【００１７】
以下、ＣＳＳによって不正コピーを防止された記録媒体から、暗号化された記録デジタルコンテンツを再生する従来のＤＶＤ−Ｖｉｄｅｏ再生装置について図面を参照しながら説明する。
【００１８】
図１２は、従来のＤＶＤ−Ｖｉｄｅｏ再生装置の構成を示す図である。尚、図１０に示すＤＶＤ−Ｖｉｄｅｏ再生装置１ａと同一の構成要素等には同一の符号を付す。
【００１９】
図１２に示すように、従来のＤＶＤ−Ｖｉｄｅｏ再生装置１ｂは、記録データ読み出し部２と、制御情報解析部３と、再生データ取得部４と、再生データ復号部５と、暗号鍵受け取り部７とから構成される。
【００２０】
上記の構成により、例えばＤＶＤ−Ｖｉｄｅｏ規格の記録媒体６に記録された記録デジタルコンテンツを再生する場合、まず、暗号鍵受け取り部７と記録データ読み出し部２とが相互にＣＳＳを正しく扱うことができることの認証を行なった後、暗号鍵受け取り部７が記録データ読み出し部２に、記録媒体６に記録された記録デジタルコンテンツを復号化するための暗号鍵を取得するように要求する。暗号鍵の取得を要求された記録データ読み出し部２は、記録媒体６に記録された暗号鍵を読み出した後、読み出された暗号鍵を暗号鍵受け取り部７に送る。暗号鍵を送られた暗号鍵受け取り部７は、送られた暗号鍵を再生データ復号部５に設定する。これにより、再生データ復号化部５において、暗号化された再生データを復号化することができる。尚、記録デジタルコンテンツを再生する手順については既に説明した通りである。
【００２１】
以上に説明したように、従来のＤＶＤ−Ｖｉｄｅｏ再生装置１ｂによると、ＣＳＳにより暗号化され且つ記録媒体６に記録された記録デジタルコンテンツを、同じく記録媒体６に記録された暗号鍵を用いることにより復号化できる。これにより、再生データに基づく映像及び音声を再生することができる。尚、例えば、ＤＶＤ−Ｖｉｄｅｏ規格には、簡単な固定パスワードを入力しなければ特定のメニューに進むことができないという仕組みが用意されているため、このような特定のメニューに特典コンテンツを見るための簡単な固定パスワードをナビゲーションデータの中に入れておくことができる。
【非特許文献１】松下電器産業株式会社、“ＤＶＤ／ビデオＨＯＭＥ”、［on line］、松下電器産業株式会社、［平成１５年７月１日検索］、インターネット＜http://panasonic.jp/dvd/index.html＞
【非特許文献２】パイオニア株式会社、“ＤＶＤ技術解説  第４章  ビデオフォーマット”、平成１５年、松下電器産業株式会社、［平成１５年４月２１日検索］、インターネット＜http://www.pioneer.co.jp/crdl/tech/dvd/4.html＞
【発明の開示】
【発明が解決しようとする課題】
【００２２】
ところが、前述の従来のＤＶＤ−Ｖｉｄｅｏ再生装置１ａでは、記録媒体６に記録された記録デジタルコンテンツの再生を行なう際に参照されるナビゲーションデータは、同じ記録媒体６に記録された記録ナビゲーションデータ１０に限られていた。すなわち、記録ナビゲーションデータ１０に従った再生しかできなかった。このため、一度記録媒体６に作成してしまったＤＶＤ−Ｖｉｄｅｏコンテンツの内容を一般ユーザが編集したいと考えても、現在のＤＶＤ−Ｖｉｄｅｏ規格では、作成してしまった後には編集を行なうことができない。よって、自分で作成したＤＶＤ−Ｖｉｄｅｏを編集したいという一般ユーザの要望を満たすことができていないのが現状である。また、販売されているＤＶＤ−Ｖｉｄｅｏコンテンツの内容を編集することに関しても同様である。
【００２３】
また、特典コンテンツのメニューに進むためのパスワードは固定且つ簡単であるため、通常のＤＶＤ−Ｖｉｄｅｏ再生装置１ｂを用いた場合であっても、パスワードを容易に破ることができる。すなわち、パスワードによる特典コンテンツの記録ナビゲーションデータ１０の参照が簡単であるため、特典コンテンツの記録ナビゲーションデータ１０を参照すると共に、ディスクに記録されている暗号鍵を用いることによって、暗号化された特典コンテンツ（秘密コンテンツ）を容易に再生できてしまう。
【００２４】
前記に鑑み、本発明は、ＤＶＤ−Ｖｉｄｅｏ規格のデジタルコンテンツを記録媒体に一度記録した後であっても、その記録されたデジタルコンテンツの再生順序を編集できるようにすると共に、秘密にされた特典コンテンツ（秘密コンテンツ）の不正な再生、又はＣＳＳで暗号化されたコンテンツ全体の不正なコピーを防止できるようにすることを目的とする。
【課題を解決するための手段】
【００２５】
そこで、本願発明者は、記録媒体に記録されている記録再生制御情報とは異なる他の再生制御情報を参照することにより、ＤＶＤ−Ｖｉｄｅｏコンテンツなどの編集、及び秘密コンテンツの不正な再生又はＣＳＳで暗号化されたコンテンツ全体の不正なコピーの防止を実現する発明を着想した。
【００２６】
具体的に、本発明の第１のデジタルコンテンツ再生装置は、記録デジタルコンテンツが記録されている第１の記録媒体から、記録デジタルコンテンツを読み出す第１のデータ読み出し手段と、記録デジタルコンテンツを再生するために必要な第１の再生制御情報が記録された第２の記録媒体から、第１の再生制御情報を読み出す第２のデータ読み出し手段と、第１の再生制御情報を参照することにより記録デジタルコンテンツを再生デジタルコンテンツとして再生する再生手段とを備えていることを特徴とするデジタルコンテンツ再生装置である。
【００２７】
第１のデジタルコンテンツ再生装置によると、記録デジタルコンテンツが記録された第１の記録媒体とは異なる第２の記録媒体から、記録デジタルコンテンツを再生するために必要な第１の再生制御情報を第２のデータ読み出し手段により読み出すことができる。このため、記録デジタルコンテンツが記録されている第１の記録媒体に、記録デジタルコンテンツを再生するために必要な再生制御情報が記録されていない場合であっても、第１の再生制御情報を参照することにより、記録デジタルコンテンツを再生することができる。裏を返せば、本発明の第１のデジタルコンテンツ再生装置によらなければ、再生制御情報が記録されていない記録媒体から記録デジタルコンテンツを再生できない。このため、記録デジタルコンテンツの不正な再生を根本的に防止することができる。したがって、記録デジタルコンテンツを再生するためのパスワードを容易に破られていたために、記録された再生制御情報を参照することによって記録デジタルコンテンツを不正に再生できていた従来のデジタルコンテンツ再生装置の課題を解決することができる。
【００２８】
第１のデジタルコンテンツ再生装置において、第１の記録媒体には、記録デジタルコンテンツを再生するために必要な第２の再生制御情報が記録されており、第１のデータ読み出し手段は、第２の再生制御情報を読み出し、記録デジタルコンテンツを再生する際に参照される参照制御情報として、第１の再生制御情報及び第２の再生制御情報のうちの少なくとも１つを選択する制御情報選択手段を更に備え、再生手段は、参照制御情報を参照することにより記録デジタルコンテンツを再生することが好ましい。
【００２９】
このようにすると、第１の記録媒体に記録された第２の再生制御情報及び第２の記録媒体に記録された第１の再生制御情報のうちの少なくとも１つを、第１の記録媒体に記録された記録デジタルコンテンツを再生する際に参照される参照制御情報として制御情報選択手段により選択できる。このため、第１の記録媒体に記録された第２の再生制御情報だけでなく、第１の記録媒体とは異なる第２の記録媒体に記録された第１の再生制御情報を参照することによっても、第１の記録媒体に記録された記録デジタルコンテンツを再生することができる。よって、様々な再生デジタルコンテンツを再生することができる。更に、第２の再生制御情報を参照するだけでは記録デジタルコンテンツを部分的にしか再生できない場合、その第２の再生制御情報を参照することによって再生できない部分の記録デジタルコンテンツを第１の再生制御情報を参照することにより再生できれば、例えば秘密コンテンツの不正な再生の防止等の前述の効果が確実に得られる。
【００３０】
第１のデジタルコンテンツ再生装置において制御情報選択手段を備えている場合、第１の再生制御情報を参照することにより再生される再生デジタルコンテンツの再生順序と、第２の再生制御情報を参照することにより再生される再生デジタルコンテンツの再生順序とは異なることが好ましい。
【００３１】
このようにすると、第１の記録媒体に記録された第２の再生制御情報を参照することにより再生される再生デジタルコンテンツの再生順序を、第２の記録媒体に記録された第１の再生制御情報を参照することにより変えることができる。すなわち、参照制御情報を切り替えることにより、再生デジタルコンテンツの再生順序を編集することができる。したがって、一度デジタルコンテンツを記録媒体に記録してしまった後は記録デジタルコンテンツの編集することができなかった従来のデジタルコンテンツ再生装置の課題を解決することができる。
【００３２】
また、第１のデジタルコンテンツ再生装置において制御情報選択手段を備えている場合であって、記録デジタルコンテンツがＤＶＤ−Ｖｉｄｅｏ規格に準拠して記録されているとき、第１の再生制御情報及び第２の再生制御情報は、それぞれビデオタイトルセット情報（ＶＴＳＩ）又はビデオマネージャ情報（ＶＭＧＩ）であることが好ましい。
【００３３】
このようにすると、ＤＶＤ−Ｖｉｄｅｏ規格に準拠した記録デジタルコンテンツを再生する場合であっても、前述の効果が確実に得られる。
【００３４】
また、第１のデジタルコンテンツ再生装置において制御情報選択手段を備えている場合、第１の再生制御情報及び第２の再生制御情報のうちの少なくとも１つに基づいて、第３の再生制御情報を構築する制御情報構築手段を更に備え、制御情報選択手段は、第１の再生制御情報、第２の再生制御情報、及び第３の再生制御情報のうちの少なくとも１つを参照制御情報として選択することが好ましい。
【００３５】
このようにすると、更に設けられた制御情報構築手段によって、第１の再生制御情報及び第２の再生制御情報のうちの少なくとも１つに基づく第３の再生制御情報を構築することができる。また、制御情報選択手段によって、第３の再生制御情報を参照制御情報として選択できる。このため、参照制御情報として選択された第３の再生制御情報を参照することによっても記録デジタルコンテンツを再生することができる。よって、例えば第１の再生制御情報又は第２の再生制御情報を参照することにより再生される再生デジタルコンテンツの再生順序を、第３の再生制御情報を参照することによって変えることができる。すなわち、参照制御情報を切り替えることにより、再生デジタルコンテンツの再生順序を編集することができる。したがって、様々な再生デジタルコンテンツの再生を行なうことができる。
【００３６】
第１のデジタルコンテンツ再生装置において、第２の記録媒体は、内部メモリ、外部メモリ、又はネットワーク上で利用可能になっている記録媒体であることが好ましい。
【００３７】
このようにすると、記録デジタルコンテンツを再生するために必要な再生制御情報（第２の再生制御情報）が、内部メモリ、外部メモリ又はネットワーク上で利用可能になっている記録媒体に記録されている場合であっても、前述の効果が確実に得られる。
【００３８】
本発明の第２のデジタルコンテンツ再生装置は、記録デジタルコンテンツ、この記録デジタルコンテンツを再生するために必要な第１の再生制御情報、及び記録デジタルコンテンツを再生するために必要な第２の再生制御情報が記録された記録媒体から、記録デジタルコンテンツ、第１の再生制御情報、及び第２の再生制御情報を読み出すデータ読み出し手段と、記録デジタルコンテンツを再生する際に参照される参照制御情報として、第１の再生制御情報及び第２の再生制御情報のうちの少なくとも１つを選択する制御情報選択手段と、記参照制御情報を参照することにより記録デジタルコンテンツを再生デジタルコンテンツとして再生する再生手段とを備えていることを特徴とするデジタルコンテンツ再生装置である。
【００３９】
第２のデジタルコンテンツ再生装置によると、記録デジタルコンテンツが記録された記録媒体から、記録デジタルコンテンツを再生するために必要な第１の再生制御情報及び第２の再生制御情報を共にデータ読み出し手段により読み出すことができる。このため、第１の記録媒体に記録された第１の再生制御情報及び第２の再生制御情報のうちの少なくとも１つを参照制御情報として選択することにより、様々な再生デジタルコンテンツの再生を行なうことができる。
【００４０】
第２のデジタルコンテンツ再生装置において、第１の再生制御情報を参照することにより再生される再生デジタルコンテンツの再生順序と、第２の再生制御情報を参照することにより再生される再生デジタルコンテンツの再生順序とは異なることが好ましい。
【００４１】
このようにすると、第１の記録媒体に記録された第１の再生制御情報及び第２の再生制御情報のうちの少なくとも１つを、記録デジタルコンテンツを再生するために参照される参照制御情報として選択することができる。このため、参照制御情報を切り替えることにより、再生デジタルコンテンツの再生順序を変更することができる。
【００４２】
また、第２のデジタルコンテンツ再生装置において、記録デジタルコンテンツがＤＶＤ−Ｖｉｄｅｏ規格に準拠して記録されている場合、第１の再生制御情報及び第２の再生制御情報は、それぞれビデオタイトルセット情報（ＶＴＳＩ）又はビデオマネージャ情報（ＶＭＧＩ）であることが好ましい。
【００４３】
このようにすると、ＤＶＤ−Ｖｉｄｅｏ規格に準拠した記録デジタルコンテンツを再生する場合であっても、前述の効果が確実に得られる。
【００４４】
また、第２のデジタルコンテンツ再生装置において、第１の再生制御情報及び第２の再生制御情報のうちの少なくとも１つに基づいて、第３の再生制御情報を構築する制御情報構築手段を更に備え、制御情報選択手段は、第１の再生制御情報、第２の再生制御情報、及び第３の再生制御情報のうちの少なくとも１つを参照制御情報として選択することが好ましい。
【００４５】
このようにすると、更に設けられた制御情報構築手段によって、第１の再生制御情報及び第２の再生制御情報のうちの少なくとも１つに基づく第３の再生制御情報を構築することができる。また、制御情報選択手段によって、第３の再生制御情報を参照制御情報として選択できる。このため、参照制御情報として選択された第３の再生制御情報を参照することによっても記録デジタルコンテンツを再生することができる。よって、例えば第１の再生制御情報又は第２の再生制御情報を参照することにより再生される再生デジタルコンテンツの再生順序を、第３の再生制御情報を参照することによって変えることができる。すなわち、参照制御情報を切り替えることにより、様々な再生デジタルコンテンツを再生することができる。
【００４６】
第２のデジタルコンテンツ再生装置において制御情報構築手段を備えている場合、第１の再生制御情報及び第２の再生制御情報のうちのいずれか１つを参照することにより再生される再生デジタルコンテンツの再生順序と、第３の再生制御情報を参照することにより再生される再生デジタルコンテンツの再生順序とは異なることが好ましい。
【００４７】
このようにすると、記録デジタルコンテンツ及びこの記録デジタルコンテンツを再生するために必要な再生制御情報が記録された記録媒体だけからであっても、再生デジタルコンテンツの再生順序を、制御情報構築手段によって構築された第３の再生制御情報を参照することにより編集することができる。
【００４８】
本発明の第３のデジタルコンテンツ再生装置は、記録デジタルコンテンツ及びこの記録デジタルコンテンツを再生するために必要な第１の再生制御情報が記録された記録媒体から、記録デジタルコンテンツ及び第１の再生制御情報を読み出す読み出し手段と、第１の再生制御情報に基づいて、第２の再生制御情報を構築する制御情報構築手段と、記録デジタルコンテンツを再生する際に参照される参照制御情報として、第１の再生制御情報及び第２の再生制御情報のうちの少なくとも１つを選択する制御情報選択手段と、参照制御情報を参照することにより記録デジタルコンテンツを再生デジタルコンテンツとして再生する再生手段とを備えていることを特徴とするデジタルコンテンツ再生装置である。
【００４９】
第３のデジタルコンテンツ再生装置によると、備えられた制御情報構築手段によって、記録媒体に記録された第１の再生制御情報に基づく第２の再生制御情報を構築することができる。また、制御情報選択手段によって、第２の再生制御情報を参照制御情報として選択できる。このため、参照制御情報として選択された第２の再生制御情報を参照することによっても記録デジタルコンテンツを再生することができる。よって、例えば第１の再生制御情報を参照することにより再生される再生デジタルコンテンツの再生順序を、第２の再生制御情報を参照することによって変えることができる。すなわち、参照制御情報を切り替えることにより、再生デジタルコンテンツの再生順序を編集することができる。したがって、様々な再生デジタルコンテンツの再生を行なうことができる。
【００５０】
第３のデジタルコンテンツ再生装置において、第１の再生制御情報を参照することにより再生される再生デジタルコンテンツの再生順序と、第２の再生制御情報を参照することにより再生される再生デジタルコンテンツの再生順序とは異なることが好ましい。
【００５１】
このようにすると、記録デジタルコンテンツ及びこの記録デジタルコンテンツを再生するために必要な再生制御情報が記録された記録媒体だけからであっても、再生デジタルコンテンツの再生順序を編集することができる。
【００５２】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＰｒｏｇｒａｍ単位で指定できることが好ましい。
【００５３】
このようにすると、ＤＶＤ−Ｖｉｄｅｏ規格に準拠した記録デジタルコンテンツが参照制御情報を参照することによって再生される再生順序を、ＤＶＤ−Ｖｉｄｅｏ規格におけるＰｒｏｇｒａｍ単位で編集することができる。
【００５４】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＣＥＬＬ−ＩＤ単位で指定できることが好ましい。
【００５５】
このようにすると、ＤＶＤ−Ｖｉｄｅｏ規格に準拠した記録デジタルコンテンツが参照制御情報を参照することによって再生される再生順序を、ＤＶＤ−Ｖｉｄｅｏ規格におけるＣＥＬＬ−ＩＤ単位で編集することができる。
【００５６】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＶＯＢＵ（Ｖｉｄｅｏ  Ｏｂｊｅｃｔ  Ｕｎｉｔ）単位で指定できることが好ましい。
【００５７】
このようにすると、ＤＶＤ−Ｖｉｄｅｏ規格に準拠した記録デジタルコンテンツが参照制御情報を参照することによって再生される再生順序を、ＤＶＤ−Ｖｉｄｅｏ規格におけるＶＯＢＵ単位で編集することができる。
【００５８】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＰＴＳ（Ｐｒｅｓｅｎｔａｔｉｏｎ  Ｔｉｍｅ  Ｓｔａｍｐ）単位で指定できることが好ましい。
【００５９】
このようにすると、ＤＶＤ−Ｖｉｄｅｏ規格に準拠した記録デジタルコンテンツが参照制御情報を参照することによって再生される再生順序を、ＤＶＤ−Ｖｉｄｅｏ規格におけるＰＴＳ単位で編集することができる。
【００６０】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＰＴＴ（Ｐａｒｔ  ｏｆ  Ｔｉｔｌｅ）単位のエントリポイントにより指定できることが好ましい。
【００６１】
このようにすると、ＤＶＤ−Ｖｉｄｅｏ規格に準拠した記録デジタルコンテンツが参照制御情報を参照することにより再生される再生順序の編集を、ＤＶＤ−Ｖｉｄｅｏ規格におけるＰＴＴ単位で編集することができる。更に、再生制御情報におけるＰＴＴ単位を指定できるエントリポイント（飛び込み点）により、例えばユーザ操作などで、エントリポイントにより指定されたＰＴＴを選択できると共に、選択されたＰＴＴからの再生を行なうことができる。
【００６２】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＰｒｏｇｒａｍ単位のエントリポイントにより指定できることが好ましい。
【００６３】
このようにすると、ＤＶＤ−Ｖｉｄｅｏ規格に準拠した記録デジタルコンテンツが参照制御情報を参照することにより再生される再生順序を、ＤＶＤ−Ｖｉｄｅｏ規格におけるＰｒｏｇｒａｍ単位で編集することができる。更に、再生制御情報におけるＰｒｏｇｒａｍ単位を指定できるエントリポイント（飛び込み点）を実現することにより、エントリポイントにより指定されたＰｒｏｇｒａｍを例えばユーザ操作などで選択できると共に、選択されたＰｒｏｇｒａｍからの再生を行なうことができる。
【００６４】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＣＥＬＬ−ＩＤ単位のエントリポイントにより指定できることが好ましい。
【００６５】
このようにすると、ＤＶＤ−Ｖｉｄｅｏ規格に準拠した記録デジタルコンテンツが参照制御情報を参照することにより再生される再生順序を、ＤＶＤ−Ｖｉｄｅｏ規格におけるＣＥＬＬ−ＩＤ単位で編集することができる。更に、再生制御情報におけるＣＥＬＬ−ＩＤ単位を指定できるエントリポイント（飛び込み点）を実現することにより、エントリポイントにより指定されたＣＥＬＬ単位例えばユーザ操作などで選択できると共に、選択されたＣＥＬＬからの再生を行なうことができる。
【００６６】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＶＯＢＵ単位のエントリポイントにより指定できることが好ましい。
【００６７】
このようにすると、ＤＶＤ−Ｖｉｄｅｏ規格に準拠した記録デジタルコンテンツが参照制御情報を参照することにより再生される再生順序を、ＤＶＤ−Ｖｉｄｅｏ規格におけるＶＯＢＵ単位で編集することができる。更に、再生制御情報におけるＶＯＢＵ単位を指定できるエントリポイント（飛び込み点）を実現することにより、エントリポイントにより指定されたＶＯＢＵを例えばユーザ操作などで選択できると共に、選択されたＶＯＢＵからの再生を行なうことができる。
【００６８】
それぞれ制御情報構築手段を備えた第１のデジタルコンテンツ再生装置及び第２のデジタルコンテンツ再生装置において、又は第３のデジタルコンテンツ再生装置において、記録デジタルコンテンツがＤＶＤ−Ｖｉｄｅｏ規格に準拠して記録されている場合、制御情報構築手段は、参照制御情報を参照することにより再生される再生デジタルコンテンツの再生順序の編集を行なう開始点及び終了点のうちの少なくとも１つを、参照制御情報におけるＰＴＳ単位のエントリポイントにより指定できることが好ましい。
【００６９】
このようにすると、ＤＶＤ−Ｖｉｄｅｏ規格に準拠した記録デジタルコンテンツが参照制御情報を参照することにより再生される再生順序を、ＤＶＤ−Ｖｉｄｅｏ規格におけるＰＴＳ単位で編集することができる。更に、再生制御情報におけるＰＴＳ単位を指定できるエントリポイント（飛び込み点）を実現することにより、エントリポイントにより指定されたフレームを選択できると共に、例えばユーザ操作などで選択されたフレームからの再生を行なうことができる。
【００７０】
第１のデジタルコンテンツ再生装置において、記録デジタルコンテンツは暗号化されており、第２のデータ読み出し手段は、記録デジタルコンテンツの暗号化された部分を復号化するための暗号鍵が記録され且つ第１の記録媒体とは異なる他の記録媒体から、暗号鍵を読み出し、再生手段は、記録デジタルコンテンツを再生する際、記録デジタルコンテンツの暗号化された部分を暗号鍵を用いて復号化することが好ましい。
【００７１】
このようにすると、第１の記録媒体とは異なる他の記録媒体（例えば第２の記録媒体）に記録された暗号鍵を用いて、一部又は全部が暗号化された記録デジタルコンテンツの暗号化された部分を復号化することができる。よって、例えば記録デジタルコンテンツを復号化するための暗号鍵が第１の記録媒体に記録されていない場合であっても、暗号化された記録デジタルコンテンツを復号化することができる。また、第２の記録媒体に記録された第１の再生制御情報を参照することによって再生することのできない秘密コンテンツが第１の記録媒体に記録されている場合であって、この秘密コンテンツを復号化する暗号鍵が第１の記録媒体に記録されていないときでも、この秘密コンテンツを第２の記録媒体に記録された暗号鍵により復号化することができる。すなわち、他の記録媒体から再生制御情報及び暗号鍵を読み出す第２のデータ読み出し手段を備えたデジタルコンテンツ再生装置によらねば、第１の記録媒体から秘密コンテンツを再生することができない。したがって、秘密コンテンツの不正な再生を防止することができる。
【００７２】
第１のデジタルコンテンツ再生装置において、記録デジタルコンテンツは暗号化されており、記録デジタルコンテンツの暗号化された部分を復号化するための暗号鍵が記録され且つ第１の記録媒体とは異なる他の記録媒体から、暗号鍵を読み出す第３のデータ読み出し手段を更に備え、再生手段は、記録デジタルコンテンツを再生する際、記録デジタルコンテンツの暗号化された部分を暗号鍵を用いて復号化することが好ましい。
【００７３】
このようにすると、第１の記録媒体とは異なる他の記録媒体（例えば第２の記録媒体）に記録された暗号鍵を第３のデータ読み出し手段により読み出すことができるため、一部又は全部が暗号化された記録デジタルコンテンツの暗号化された部分を暗号鍵により復号化することができる。よって、例えば記録デジタルコンテンツを復号化するための暗号鍵が第１の記録媒体に記録されていない場合であっても、暗号化された記録デジタルコンテンツを復号化することができる。また、第２の記録媒体に記録された第１の再生制御情報を参照することによって再生することのできない秘密コンテンツが第１の記録媒体に記録されている場合であって、この秘密コンテンツを復号化するための暗号鍵が第１の記録媒体に記録されていないときでも、この秘密コンテンツを他の記録媒体に記録された暗号鍵により復号化することができる。すなわち、暗号鍵を読み出す第３のデータ読み出し手段を備えたデジタルコンテンツ再生装置によらねば、第１の記録媒体から秘密コンテンツを再生することができない。したがって、秘密コンテンツの不正な再生を根本的に防止することができる。
【００７４】
本発明の第１のデジタルコンテンツ再生方法は、記録デジタルコンテンツが記録された第１の記録媒体から記録デジタルコンテンツを読み出す工程と、記録デジタルコンテンツを再生するために必要な再生制御情報を、第１の記録媒体とは異なる第２の記録媒体から読み出す工程と、再生制御情報を参照することにより、記録デジタルコンテンツを再生デジタルコンテンツとして再生する工程とを備えていることを特徴とするデジタルコンテンツ再生方法である。
【００７５】
第１のデジタルコンテンツ再生方法によると、記録デジタルコンテンツが記録された第１の記録媒体とは異なる第２の記録媒体から、記録デジタルコンテンツを再生するために必要な再生制御情報を読み出すことができる。このため、記録デジタルコンテンツが記録されている第１の記録媒体に、記録デジタルコンテンツを再生するために必要な再生制御情報が記録されていない場合であっても、第２の記録媒体から読み出された再生制御情報を参照することにより、記録デジタルコンテンツを再生することができる。裏を返せば、本発明の第１のデジタルコンテンツ再生方法によらなければ、再生制御情報が記録されていない記録媒体から記録デジタルコンテンツを再生できない。このため、記録デジタルコンテンツの不正な再生を根本的に防止することができる。したがって、記録デジタルコンテンツを再生するためのパスワードが容易に破られていたために、記録された再生制御情報を参照することによって記録デジタルコンテンツを不正に再生できていた従来の課題を解決することができる。
【００７６】
本発明の第２のデジタルコンテンツ再生方法は、記録デジタルコンテンツ及びこの記録デジタルコンテンツを再生するために必要な第１の再生制御情報が記録された第１の記録媒体から記録デジタルコンテンツ及び第１の再生制御情報を読み出す工程と、記録デジタルコンテンツを再生するために必要な第２の再生制御情報が記録された第２の記録媒体から第２の再生制御情報を読み出す工程と、記録デジタルコンテンツを再生する際に参照される参照制御情報として、第１の再生制御情報及び第２の再生制御情報のうちの少なくとも１つを選択する工程と、参照制御情報を参照することにより、記録デジタルコンテンツを再生する工程とを備えていることを特徴とするデジタルコンテンツ再生方法である。
【００７７】
第２のデジタルコンテンツ再生方法によると、第１の記録媒体に記録された第１の再生制御情報及び第２の記録媒体に記録された第２の再生制御情報のうちの少なくとも１つを、第１の記録媒体に記録された記録デジタルコンテンツを再生する際に参照される参照制御情報として選択できる。このため、第１の記録媒体に記録された第１の再生制御情報だけでなく、第１の記録媒体とは異なる第２の記録媒体に記録された第２の再生制御情報を参照することによっても、第１の記録媒体に記録された記録デジタルコンテンツを再生することができる。よって、様々な再生デジタルコンテンツを再生することができる。更に、第１の再生制御情報を参照するだけでは記録デジタルコンテンツを部分的にしか再生できない場合、その第１の再生制御情報を参照することによって再生できない部分の記録デジタルコンテンツを第２の再生制御情報を参照することにより再生できれば、例えば秘密コンテンツの不正な再生を防止することもできる。
【００７８】
第１のデジタルコンテンツ再生方法又は第２のデジタルコンテンツ再生方法において、記録デジタルコンテンツは暗号化されており、記録デジタルコンテンツを再生する工程の前に、記録デジタルコンテンツの暗号化された部分を復号化するための暗号鍵が記録され且つ第１の記録媒体とは異なる他の記録媒体から、暗号鍵を読み出す工程を備え、記録デジタルコンテンツを再生する工程は、記録デジタルコンテンツを暗号鍵を用いて復号化する工程を含んでいることが好ましい。
【００７９】
このようにすると、記録デジタルコンテンツが記録された第１の記録媒体とは異なる他の記録媒体（例えば第２の記録媒体）に記録された暗号鍵を用いて、一部又は全部が暗号化された記録デジタルコンテンツの暗号化された部分を復号化することができる。よって、例えば記録デジタルコンテンツを復号化するための暗号鍵が記録媒体に記録されていない場合であっても、暗号化された記録デジタルコンテンツを復号化することができる。また、第２の記録媒体に記録された第２の再生制御情報を参照することによって再生することのできない秘密コンテンツが第１の記録媒体に記録されている場合であって、この秘密コンテンツを復号化するための暗号鍵が第１の記録媒体に記録されていないときでも、この秘密コンテンツを第２の記録媒体に記録された暗号鍵を用いて復号化することができる。すなわち、他の記録媒体から再生制御情報及び暗号鍵を読み出すデジタルコンテンツの再生方法によらねば、第１の記録媒体から秘密コンテンツを再生することができない。したがって、秘密コンテンツの不正な再生を根本的に防止することができる。
【００８０】
本発明の第１の記録媒体は、記録デジタルコンテンツと、記録デジタルコンテンツを再生するために必要な再生制御情報とが記録され、再生制御情報を参照することにより再生されるのは、記録デジタルコンテンツの一部に限られていることを特徴とする記録媒体である。
【００８１】
第１の記録媒体によると、記録された再生制御情報を参照するだけでは再生されない記録デジタルコンテンツが記録されているため、再生されない部分の記録デジタルコンテンツを、不正に再生されない秘密コンテンツにすることができる。したがって、記録デジタルコンテンツを再生するためのパスワードを容易に破られていたために、記録された再生制御情報を参照することによって記録デジタルコンテンツを不正に再生できていた従来のデジタルコンテンツ再生装置の課題を解決することができる。
【００８２】
第１の記録媒体において、記録デジタルコンテンツは暗号化されており、記録デジタルコンテンツの暗号化された部分を復号化するための暗号鍵が更に記録され、暗号鍵を用いて復号化されるのは、記録デジタルコンテンツの一部に限られていることが好ましい。
【００８３】
このようにすると、暗号化された記録デジタルコンテンツのうち、記録された暗号鍵を用いて復号化されるのは一部に限られているため、暗号鍵を用いて復号化されない部分の記録デジタルコンテンツの不正な再生を防止することができる。更に、暗号鍵を用いて復号化されない部分の記録デジタルコンテンツが、再生制御情報を参照することによって再生されない部分の記録デジタルコンテンツと重複していれば、その重複部分の再生制御情報を取得されたとしても不正な再生を確実に防止することができる。
【００８４】
本発明の第１の記録媒体群は、少なくとも、記録デジタルコンテンツと、この記録デジタルコンテンツを再生するために必要な第１の再生制御情報とが記録された第１の記録媒体と、記録デジタルコンテンツを再生するために必要な第２の再生制御情報が記録された第２の記録媒体とからなる記録媒体群であって、第１の再生制御情報を参照することにより再生されるのは記録デジタルコンテンツの特定部分に限られており、特定部分以外の記録デジタルコンテンツは、第２の再生制御情報を参照することにより再生されることを特徴とする記録媒体群である。
【００８５】
第１の記録媒体群によると、第１の記録媒体に記録された記録デジタルコンテンツを、同じく第１の記録媒体に記録された第１の再生制御情報を参照することによって再生できない秘密コンテンツにできる。このため、その秘密コンテンツの不正な再生を確実に防止することができる。また、第１の記録媒体群のうちの第２の記録媒体には、第１の記録媒体に記録された秘密コンテンツを再生するために必要な第２の再生制御情報が記録されているため、秘密コンテンツの不正な再生を防止しながら、第１の記録媒体と第２の記録媒体とを少なくとも組み合わせることにより、秘密コンテンツを再生することもできる。
【００８６】
第１の記録媒体群において、第１の記録デジタルコンテンツは暗号化されており、第２の記録媒体には、第１の記録デジタルコンテンツにおける暗号化された部分を復号化するための暗号鍵が更に記録されていることが好ましい。
【００８７】
このようにすると、第１の記録媒体に記録された記録デジタルコンテンツが暗号化されているため、秘密コンテンツを含む記録デジタルコンテンツの不正な再生を防止できる。また、第１の記録媒体に記録された記録デジタルコンテンツの暗号化された部分を、第２の記録媒体に記録された暗号鍵を用いて復号化することができる。このため、第１の記録媒体に記録され且つ暗号化された秘密コンテンツの不正な再生を防止しながら、第１の記録媒体と第２の記録媒体とを組み合わせることにより、秘密コンテンツの再生を可能にしている。
【００８８】
本発明の第４のデジタルコンテンツ再生装置は、暗号化された記録デジタルコンテンツが記録されている第１の記録媒体から、記録デジタルコンテンツを読み出す第１のデータ読み出し手段と、記録デジタルコンテンツを復号化するための暗号鍵が記録された第２の記録媒体から、暗号鍵を読み出す第２のデータ読み出し手段と、記録デジタルコンテンツを再生する際に、記録デジタルコンテンツを、第２の記録媒体から読み出した暗号鍵を用いて復号化する再生手段とを備えていることを特徴とするデジタルコンテンツ再生装置である。
【００８９】
第４のデジタルコンテンツ再生装置によると、第１の記録媒体とは異なる第２の記録媒体に記録され、且つ第１の記録媒体に記録された記録デジタルコンテンツを復号化するための暗号鍵を第２のデータ読み出し手段によって読み出すことができる。このため、第１の記録媒体に記録された記録デジタルコンテンツを、第２の記録媒体から読み出された暗号鍵を用いて復号化することができる。よって、記録デジタルコンテンツを復号化するための暗号鍵が第１の記録媒体に記録されていない場合であっても、暗号化された記録デジタルコンテンツを復号化することができる。また、第２の記録媒体に記録された第１の再生制御情報を参照することによって再生することのできない秘密コンテンツが第１の記録媒体に記録されている場合であって、更に秘密コンテンツを復号化するための暗号鍵が第１の記録媒体に記録されていないときでも、この秘密コンテンツを第２の記録媒体に記録された暗号鍵により復号化することができる。すなわち、第２の記録媒体から暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【００９０】
第５のデジタルコンテンツ再生装置は、暗号化された記録デジタルコンテンツ及この記録デジタルコンテンツの暗号化された部分のうちの特定部分を復号化するための第１の暗号鍵が記録された第１の記録媒体から、第１の暗号鍵を読み出す第１のデータ読み出し手段と、記録デジタルコンテンツの暗号化された部分のうち特定部分以外の部分を復号化するための第２の暗号鍵が記録された第２の記録媒体から、第２の暗号鍵を読み出す第２のデータ読み出し手段と、記録デジタルコンテンツを再生する際に、記録デジタルコンテンツを第１の暗号鍵及び第２の暗号鍵のうちの少なくとも１つを用いて復号化する再生手段とを備えていることを特徴とするデジタルコンテンツ再生装置である。
【００９１】
第５のデジタルコンテンツ再生装置によると、第１の記録媒体に記録された記録デジタルコンテンツを、第１の記録媒体に記録された第１の暗号鍵及び第２の記録媒体に記録された第２の暗号鍵のうちの少なくとも１つを用いて復号化できる。すなわち、例えば、第１の記録媒体に記録された記録デジタルコンテンツの暗号化された部分うち第１の暗号鍵を用いて復号化できない部分を、第２の暗号鍵を用いて復号化できれば、第１の記録媒体から記録デジタルコンテンツを再生することができる。すなわち、再生制御情報及び暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【００９２】
第４のデジタルコンテンツ再生装置又は第５のデジタルコンテンツ再生装置において、第２の記録媒体は、内部メモリ、外部メモリ、又はネットワーク上で利用可能になっている記録媒体であることが好ましい。
【００９３】
このようにすると、記録デジタルコンテンツを復号化するための暗号鍵が、内部メモリ、外部メモリ又はネットワーク上で利用可能になっている記録媒体に記録されている場合であっても、前述の効果が確実に得られる。
【００９４】
本発明の第３のデジタルコンテンツ再生方法は、暗号化された記録デジタルコンテンツが記録された第１の記録媒体から、記録デジタルコンテンツを読み出す工程と、記録デジタルコンテンツを復号化するための暗号鍵が記録された第２の記録媒体から、暗号鍵を読み出す工程と、記録デジタルコンテンツを再生する際に、記録デジタルコンテンツを暗号鍵を用いて復号化する工程とを備えていることを特徴とするデジタルコンテンツ再生方法である。
【００９５】
第３のデジタルコンテンツ再生方法によると、第１の記録媒体とは異なる第２の記録媒体に記録され、且つ第１の記録媒体に記録された記録デジタルコンテンツを復号化するための暗号鍵を読み出すことができる。このため、第１の記録媒体に記録された記録デジタルコンテンツを、第２の記録媒体から読み出された暗号鍵を用いて復号化することができる。よって、記録デジタルコンテンツを復号化するための暗号鍵が第１の記録媒体に記録されていない場合であっても、暗号化された記録デジタルコンテンツを復号化することができる。言い換えると、第２の記録媒体から暗号鍵を読み出す工程を備えたデジタルコンテンツ再生方法によらねば、第１の記録媒体から秘密コンテンツを再生することができない。したがって、秘密コンテンツの不正な再生を防止しながら、秘密コンテンツの再生も確実に行なうことができる。
【００９６】
第４のデジタルコンテンツ再生方法は、暗号化された記録デジタルコンテンツ及びこの記録デジタルコンテンツの暗号化された部分のうちの特定部分を復号化するための第１の暗号鍵が記録された第１の記録媒体から、記録デジタルコンテンツ及び第１の暗号鍵を読み出す工程と、記録デジタルコンテンツの暗号化された部分のうち特定部分以外の部分を復号化するための第２の暗号鍵が記録された第２の記録媒体から、第２の暗号鍵を読み出す工程と、記録デジタルコンテンツを再生する際に、第１の暗号鍵及び第２の暗号鍵のうちの少なくとも１つを用いて記録デジタルコンテンツを復号化する工程とを備えていることを特徴とするデジタルコンテンツ再生方法である。
【００９７】
第４のデジタルコンテンツ再生方法によると、第１の記録媒体に記録された記録デジタルコンテンツを、第１の記録媒体に記録された第１の暗号鍵及び第２の記録媒体に記録された第２の暗号鍵のうちの少なくとも１つを用いて復号化できる。すなわち、例えば、第１の記録媒体に記録された記録デジタルコンテンツの暗号化された部分うち第１の暗号鍵を用いて復号化できない部分を、第２の暗号鍵を用いて復号化できれば、第１の記録媒体から記録デジタルコンテンツを再生することができる。すなわち、第２の記録媒体から暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【００９８】
本発明の第２の記録媒体は、暗号化された記録デジタルコンテンツと、記録デジタルコンテンツを復号化するための暗号鍵とが記録され、暗号鍵により復号化されるのは、記録デジタルコンテンツの一部に限られていることを特徴とする記録媒体である。
【００９９】
第２の記録媒体によると、記録された暗号鍵を用いて復号化される記録デジタルコンテンツは、記録デジタルコンテンツの一部に限られているため、記録された暗号鍵を用いて復号化されない部分の記録デジタルコンテンツを秘密コンテンツにすることができる。すなわち、秘密コンテンツの不正な再生を防止することができる。
【０１００】
本発明の第２の記録媒体群は、暗号化された記録デジタルコンテンツが記録された第１の記録媒体と、記録デジタルコンテンツを復号化するための暗号鍵が記録された第２の記録媒体とから少なくともなることを特徴とする記録媒体群である。
【０１０１】
第２の記録媒体群によると、第１の記録媒体に記録された記録デジタルコンテンツを、第２の記録媒体に記録された暗号鍵を用いて復号化することができる。このため、第１の記録媒体に記録された記録デジタルコンテンツの不正な再生を防止しながら、第１の記録媒体と第２の記録媒体とを少なくとも組み合わせることにより、記録デジタルコンテンツを確実に再生することができる。
【０１０２】
本発明の第１の秘密コンテンツの記録方法は、デジタルコンテンツを記録媒体に記録する工程と、デジタルコンテンツの一部を再生するために必要な再生制御情報に限り記録媒体に記録する工程とを備え、再生制御情報を参照することによって再生されないデジタルコンテンツを秘密コンテンツとすることを特徴とする秘密コンテンツの記録方法である。
【０１０３】
第１の秘密コンテンツの記録方法によると、デジタルコンテンツ及びデジタルコンテンツの一部を再生するために必要な再生制御情報を記録媒体に記録することとができる。よって、記録媒体に記録された再生制御情報では再生できない部分の記録デジタルコンテンツを秘密コンテンツとして、この秘密コンテンツの不正な再生を防止することができる。
【０１０４】
第１の秘密コンテンツの記録方法におけるデジタルコンテンツを記録する工程は、暗号化されたデジタルコンテンツを記録媒体に記録する工程を含んでいることが好ましい。
【０１０５】
このようによると、暗号化された部分のデジタルコンテンツを秘密コンテンツとして、この秘密コンテンツの不正な再生を防止することができる。また、記録媒体に記録された再生制御情報では再生できない部分のデジタルコンテンツと、暗号化された部分のデジタルコンテンツとが重複している部分は、この部分の再生制御情報を取得されたとしても不正な再生を防止することができる。
【０１０６】
本発明の第２の秘密コンテンツの記録方法は、暗号化されたデジタルコンテンツを記録媒体に記録する工程と、デジタルコンテンツの暗号化された部分のうちの特定部分を復号化するための暗号鍵に限り記録媒体に記録する工程とを備え、特定部分以外のデジタルコンテンツを秘密コンテンツとすることを特徴とする秘密コンテンツの記録方法である。
【０１０７】
第２の秘密コンテンツの記録方法によると、暗号化されたデジタルコンテンツの暗号化された部分のうちの特定部分以外の部分を復号化するための暗号鍵を記録媒体に記録しないため、特定部分以外を秘密コンテンツとして、この秘密コンテンツの不正な再生を防止することができる。
【０１０８】
本発明のデジタルコンテンツコピー装置は、記録デジタルコンテンツが記録されている第１の記録媒体から、記録デジタルコンテンツを読み出す第１のデータ読み出し手段と、記録デジタルコンテンツをコピーするために必要な第１のコピー制御情報が記録された第２の記録媒体から、第１のコピー制御情報を読み出す第２のデータ読み出し手段と、第１のコピー制御情報を参照することにより記録デジタルコンテンツをコピーデジタルコンテンツとしてコピーするコピー手段とを備えている。
【０１０９】
本発明のデジタルコンテンツコピー装置によると、記録デジタルコンテンツが記録された第１の記録媒体とは異なる第２の記録媒体から、記録デジタルコンテンツをコピーするために必要な第１のコピー制御情報を第２のデータ読み出し手段により読み出すことができる。このため、記録デジタルコンテンツが記録されている第１の記録媒体に、記録デジタルコンテンツをコピーするために必要なコピー制御情報が記録されていない場合であっても、第１のコピー制御情報を参照することにより、記録デジタルコンテンツをコピーすることができる。裏を返せば、本発明のデジタルコンテンツコピー装置によらなければ、コピー制御情報が記録されていない記録媒体から記録デジタルコンテンツをコピーできない。このため、記録デジタルコンテンツの不正なコピーを根本的に防止することができる。したがって、記録デジタルコンテンツをコピーするためのパスワードを容易に破られていたために、記録されたコピー制御情報を参照することによって記録デジタルコンテンツを不正にコピーできていた従来のデジタルコンテンツコピー装置の課題を解決することができる。
【０１１０】
尚、本発明の第１のデジタルコンテンツ再生装置において、第１の記録媒体には、記録デジタルコンテンツをコピーするために必要なコンテンツコピー制御情報が記録されており、第１のデータ読み出し手段は、第１の記録媒体からコンテンツコピー制御情報を読み出し、第１の記録媒体から記録デジタルコンテンツをコピーすることがコンテンツコピー制御情報により禁止されている場合に、再生手段により再生されたコンテンツの他の記録媒体へのコピーを防止するコンテンツコピー制御手段をさらに備えていてもよい。
【発明の効果】
【０１１１】
本発明の第１のデジタルコンテンツ再生装置によると、記録デジタルコンテンツが記録されている第１の記録媒体に、記録デジタルコンテンツを再生するために必要な再生制御情報が記録されていない場合であっても、第１の再生制御情報を参照することにより、記録デジタルコンテンツを再生することができる。裏を返せば、本発明の第１のデジタルコンテンツ再生装置によらなければ、再生制御情報が記録されていない記録媒体から記録デジタルコンテンツを再生できない。このため、記録デジタルコンテンツの不正な再生を根本的に防止することができる。したがって、記録デジタルコンテンツを再生するためのパスワードを容易に破られていたために、記録された再生制御情報を参照することによって記録デジタルコンテンツを不正に再生できていた従来のデジタルコンテンツ再生装置の課題を解決することができる。
【０１１２】
本発明の第２のデジタルコンテンツ再生装置によると、第１の記録媒体に記録された第１の再生制御情報及び第２の再生制御情報のうちの少なくとも１つを参照制御情報として選択することにより、様々な再生デジタルコンテンツの再生を行なうことができる。
【０１１３】
本発明の第３のデジタルコンテンツ再生装置によると、例えば第１の再生制御情報を参照することにより再生される再生デジタルコンテンツの再生順序を、第２の再生制御情報を参照することによって変えることができる。すなわち、参照制御情報を切り替えることにより、再生デジタルコンテンツの再生順序を編集することができる。したがって、様々な再生デジタルコンテンツの再生を行なうことができる。
【０１１４】
本発明の第４のデジタルコンテンツ再生装置によると、記録デジタルコンテンツを復号化するための暗号鍵が第１の記録媒体に記録されていない場合であっても、暗号化された記録デジタルコンテンツを復号化することができる。また、第２の記録媒体に記録された第１の再生制御情報を参照することによって再生することのできない秘密コンテンツが第１の記録媒体に記録されている場合であって、更に秘密コンテンツを復号化するための暗号鍵が第１の記録媒体に記録されていないときでも、この秘密コンテンツを第２の記録媒体に記録された暗号鍵により復号化することができる。すなわち、第２の記録媒体から暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【０１１５】
本発明の第５のデジタルコンテンツ再生装置によると、例えば、第１の記録媒体に記録された記録デジタルコンテンツの暗号化された部分うち第１の暗号鍵を用いて復号化できない部分を、第２の暗号鍵を用いて復号化できれば、第１の記録媒体から記録デジタルコンテンツを再生することができる。すなわち、再生制御情報及び暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【０１１６】
本発明の第１のデジタルコンテンツ再生方法によると、記録デジタルコンテンツが記録されている第１の記録媒体に、記録デジタルコンテンツを再生するために必要な再生制御情報が記録されていない場合であっても、第２の記録媒体から読み出された再生制御情報を参照することにより、記録デジタルコンテンツを再生することができる。裏を返せば、本発明の第１のデジタルコンテンツ再生方法によらなければ、再生制御情報が記録されていない記録媒体から記録デジタルコンテンツを再生できない。このため、記録デジタルコンテンツの不正な再生を根本的に防止することができる。したがって、記録デジタルコンテンツを再生するためのパスワードが容易に破られていたために、記録された再生制御情報を参照することによって記録デジタルコンテンツを不正に再生できていた従来の課題を解決することができる。
【０１１７】
本発明の第２のデジタルコンテンツ再生方法によると、第１の記録媒体に記録された第１の再生制御情報だけでなく、第１の記録媒体とは異なる第２の記録媒体に記録された第２の再生制御情報を参照することによっても、第１の記録媒体に記録された記録デジタルコンテンツを再生することができる。よって、様々な再生デジタルコンテンツを再生することができる。更に、第１の再生制御情報を参照するだけでは記録デジタルコンテンツを部分的にしか再生できない場合、その第１の再生制御情報を参照することによって再生できない部分の記録デジタルコンテンツを第２の再生制御情報を参照することにより再生できれば、例えば秘密コンテンツの不正な再生を防止することもできる。
【０１１８】
本発明の第３のデジタルコンテンツ再生方法によると、第１の記録媒体に記録された記録デジタルコンテンツを、第２の記録媒体から読み出された暗号鍵を用いて復号化することができる。よって、記録デジタルコンテンツを復号化するための暗号鍵が第１の記録媒体に記録されていない場合であっても、暗号化された記録デジタルコンテンツを復号化することができる。言い換えると、第２の記録媒体から暗号鍵を読み出す工程を備えたデジタルコンテンツ再生方法によらねば、第１の記録媒体から秘密コンテンツを再生することができない。したがって、秘密コンテンツの不正な再生を防止しながら、秘密コンテンツの再生も確実に行なうことができる。
【０１１９】
本発明の第４のデジタルコンテンツ再生方法によると、例えば、第１の記録媒体に記録された記録デジタルコンテンツの暗号化された部分うち第１の暗号鍵を用いて復号化できない部分を、第２の暗号鍵を用いて復号化できれば、第１の記録媒体から記録デジタルコンテンツを再生することができる。すなわち、第２の記録媒体から暗号鍵を読み出す第２のデータ読み出し手段を備えたデジタルコンテンツ再生装置によらねば、第１の記録媒体から秘密コンテンツを再生することができない。したがって、秘密コンテンツを含むデジタルコンテンツの不正な再生を防止することができる。
【０１２０】
本発明の第１の記録媒体によると、記録デジタルコンテンツを再生するためのパスワードを容易に破られていたために、記録された再生制御情報を参照することによって記録デジタルコンテンツを不正に再生できていた従来のデジタルコンテンツ再生装置の課題を解決することができる。
【０１２１】
本発明の第２の記録媒体によると、記録された暗号鍵を用いて復号化されない部分の記録デジタルコンテンツを秘密コンテンツにすることができる。すなわち、秘密コンテンツの不正な再生を防止することができる。
【０１２２】
本発明の第１の秘密コンテンツの記録方法によると、記録媒体に記録された再生制御情報では再生できない部分の記録デジタルコンテンツを秘密コンテンツとして、この秘密コンテンツの不正な再生を防止することができる。
【０１２３】
本発明の第２の秘密コンテンツの記録方法によると、特定部分以外を秘密コンテンツとして、この秘密コンテンツの不正な再生を防止することができる。
【０１２４】
本発明のデジタルコンテンツコピー装置によると、記録デジタルコンテンツが記録されている第１の記録媒体に、記録デジタルコンテンツをコピーするために必要なコピー制御情報が記録されていない場合であっても、第１のコピー制御情報を参照することにより、記録デジタルコンテンツをコピーすることができる。裏を返せば、本発明のデジタルコンテンツコピー装置によらなければ、コピー制御情報が記録されていない記録媒体から記録デジタルコンテンツをコピーできない。このため、記録デジタルコンテンツの不正なコピーを根本的に防止することができる。したがって、記録デジタルコンテンツをコピーするためのパスワードを容易に破られていたために、記録されたコピー制御情報を参照することによって記録デジタルコンテンツを不正にコピーできていた従来のデジタルコンテンツコピー装置の課題を解決することができる。
【発明を実施するための最良の形態】
【０１２５】
（第１の実施形態）
以下、本発明の第１の実施形態に係るデジタルコンテンツ再生装置について図面を参照ながら説明する。
【０１２６】
図１は、第１の実施形態に係るデジタルコンテンツ再生装置の構成、具体的には、記録媒体に記録されたデジタルコンテンツ（以下、記録デジタルコンテンツと称する）の再生される順序（再生順序）を編集する機能を有するデジタルコンテンツ再生装置の構成を示すブロック図である。尚、本実施形態に係るデジタルコンテンツ再生装置は、様々なデジタルコンテンツ及び記録媒体に対応するものである。しかしながら、本実施形態においては、ＤＶＤ−Ｖｉｄｅｏ規格に準拠したデジタルコンテンツを再生する装置を例にして説明する。
【０１２７】
図１に示すように、第１の実施形態に係るデジタルコンテンツ再生装置１００は、記録データ読み出し部１０１と、制御情報制御部１０２と、制御情報解析部１０３と、再生データ取得部１０４と、再生データ復号部１０５と、制御情報読み出し部１０６とから構成される。
【０１２８】
次に、上記の構成により、記録デジタルコンテンツが再生されるまでの流れを各構成要素の機能と共に説明する。
【０１２９】
まず、制御情報解析部１０３が、ビデオタイトルセット情報（ＶＴＳＩ）又はビデオマネージャー情報（ＶＭＧＩ）からなる再生制御情報（ナビゲーションデータ）を取得するように制御情報制御部１０２に要求する。この際、記録媒体１０７に記録された記録デジタルコンテンツの再生順序を変更して再生するという設定になっていた場合には、制御情報制御部１０２が、外部メモリ１０８に記録されたナビゲーションデータ（以下、編集ナビゲーションデータと称する）を取得するように制御情報読み出し部１０６に要求する。編集ナビゲーションデータの取得を要求された制御情報読み出し部１０６は、外部メモリ１０８に記録された編集ナビゲーションデータを読み出した後、読み出された編集ナビゲーションデータを制御情報制御部１０２に送る。編集ナビゲーションデータを送られた制御情報制御部１０２は、その送られた編集ナビゲーションデータを制御情報解析部１０３に送る。編集ナビゲーションデータを送られた制御情報解析部１０３は、その編集ナビゲーションデータを参照ナビゲーションデータとして参照することにより、記録媒体１０７に実際に記録されているデータの再生位置を再生データ取得部１０４に送る。データの再生位置を送られた再生データ取得部１０４は、再生するデータ（以下、再生データと称する）を取得するように記録データ読み出し部１０１に要求する。再生データの取得を要求された記録データ読み出し部１０１は、取得を要求された再生データを記録媒体１０７から読み出した後、読み出された再生データを再生データ取得部１０４に送る。再生データが送られた再生データ取得部１０４は、その再生データを再生データ復号部１０５に送る。再生データが送られた再生データ復号部１０５は、ＭＰＥＧ形式で圧縮された再生データのデコードを行なう。これにより、再生データに基づく映像及び音声が再生される。
【０１３０】
また、従来の再生装置のように、記録媒体１０７に記録された記録ナビゲーションデータを参照ナビゲーションデータとして記録デジタルコンテンツを再生する場合には、参照ナビゲーションデータの取得を要求する際、制御情報制御部１０２が、記録媒体１０７に記録された記録ナビゲーションデータを取得するように記録データ読み出し部１０１に要求すればよい。
【０１３１】
このように、第１の実施形態によると、記録デジタルコンテンツを再生する際に参照される参照ナビゲーションデータを、制御情報制御部１０２によって、記録媒体１０７に記録された記録ナビゲーションデータから、外部メモリ１０８に記録された編集ナビゲーションデータに切り替えることができる。このため、外部メモリ１０８に記録された編集ナビゲーションデータを参照することにより、再生データの再生順序を変えることができる。また、参照ナビゲーションデータの取得元を、記録媒体１０７にするか、又は外部メモリ１０８にするかを判断するだけで、再生データの再生順序を容易に変えることができる。すなわち、例えば記録データ読み出し部１０１、再生データ取得部１０４及び再生データ復号部１０５等の従来からある構成要素を変更することなく、且つ従来の再生制御を行なうだけで、再生データの再生順序を容易に変更することができる。
【０１３２】
尚、第１の実施形態において、外部メモリ１０８は、不揮発性の外部メモリ、不揮発性若しくは揮発性の内部メモリ、又はネットワーク上で利用可能になっている記録媒体であってもよい。
【０１３３】
また、第１の実施形態において、外部メモリ１０８に記録された編集ナビゲーションデータに限って取得する場合について説明した。しかし、外部メモリ１０８に記録された編集ナビゲーションデータ及び記録媒体１０７に記録された記録ナビゲーションデータを両方取得すると共に、この二つのナビゲーションデータを参照ナビゲーションデータとして参照することにより記録デジタルコンテンツを再生してもよい。
【０１３４】
また、第１の実施形態においては、編集ナビゲーションデータが外部メモリ１０８に記録されていたが、記録媒体１０７に記録されていてもよい。このような場合であっても、制御情報制御部１０２が、記録媒体１０７から記録ナビゲーションデータ及び編集ナビゲーションデータのうちの少なくとも１つを取得するように記録データ読み出し部１０１に要求すればよい。尚、この場合、制御情報読み出し部１０６は備えられていなくてもよい。また、編集ナビゲーションデータが外部メモリ１０８に記録されていない場合、編集ナビゲーションデータは、記録媒体１０７の規格で許されている領域のうちユーザが自由に利用できる部分、記録ナビゲーションデータが書き込まれている領域以外の場所のディレクトリ、又は、ファイル名、拡張子、若しくは通常のドライブでは読み出すことのできないファイルの最初以前の部分や最終端以降の部分に記録されていてもよい。
【０１３５】
また、第１の実施形態において、記録媒体１０７に記録された記録デジタルコンテンツはＤＶＤ−Ｖｉｄｅｏ規格に準拠していた。しかし、記録媒体１０７に記録された記録デジタルコンテンツが他の規格に準拠している場合であっても、記録媒体１０７に記録された制御情報とは異なる他の制御情報を外部メモリ１０８から読み出せば、同様の効果が得られる。
【０１３６】
また、第１の実施形態において、記録媒体１０７に記録された記録ナビゲーションデータ、及び外部メモリ１０８に記録された編集ナビゲーションデータのうちの一方を参照ナビゲーションデータとして選択した後、その選択されたナビゲーションデータを取得した。しかし、記録ナビゲーションデータ及び編集ナビゲーションデータを共に取得した後に、そのうちの一方を参照ナビゲーションデータとして選択してもよい。尚、この場合、取得した記録ナビゲーションデータ及び参照ナビゲーションデータを共に参照ナビゲーションデータとして参照してもよい。
【０１３７】
（第２の実施形態）
以下、本発明の第２の実施形態に係るデジタルコンテンツ編集再生装置について図面を参照しながら説明する。
【０１３８】
図２は、第２の実施形態に係るデジタルコンテンツ編集再生装置、具体的には、記録媒体に記録されたデジタルコンテンツを再生するために必要な制御情報を、既存の制御情報に基づいて新たに構築できるデジタルコンテンツ編集再生装置の構成を示すブロック図である。尚、図２において、図１に示す第１の実施形態に係るデジタルコンテンツ再生装置１００と同一の構成要素には同一の符号を付す。
【０１３９】
図２に示すように、第２の実施形態に係るデジタルコンテンツ編集再生装置２００の特徴は、図１に示す第１の実施形態に係るデジタルコンテンツ再生装置１００の構成に加えて、制御情報（ナビゲーションデータ）を新たに構築できる制御情報構築部２０１を更に備えている点にある。
【０１４０】
以下、上記の構成により、ナビゲーションデータが新たに構築され、その後、構築されたナビゲーションデータが外部メモリ１０８に保存されるまでの流れを各構成要素の機能と共に説明する。
【０１４１】
まず、記録媒体１０７に記録されたナビゲーションデータ（記録ナビゲーションデータ）、又は、外部メモリ１０８に記録されたナビゲーションデータ（編集ナビゲーションデータ）を参照ナビゲーションデータとして、記録媒体１０７に記録されている記録デジタルコンテンツを再生している際、再生されているシーンの編集点（編集の開始点又は終了点等）をユーザが指定する。このような指定があると、制御情報解析部１０３は、それらの編集点に関する記録ナビゲーションデータ及び制御情報解析部１０３によって解析された後の記録ナビゲーションデータ、又は上記の編集点に関する編集ナビゲーションデータ及び制御情報解析部１０３によって解析された後の編集ナビゲーションデータを制御情報構築部２０１に送る。記録ナビゲーションデータ又は編集ナビゲーションデータを送られた制御情報構築部２０１は、外部メモリ１０８に記録された編集ナビゲーションデータの取得を制御情報読み出し部１０６に要求する（外部メモリ１０８に編集ナビゲーションデータが記録されている場合）。編集ナビゲーションデータの取得を要求された制御情報読み出し部１０６は、外部メモリ１０８に記録された編集ナビゲーションデータを取得した後、取得された編集ナビゲーションデータを制御情報構築部２０１に送る。編集ナビゲーションデータが送られた制御情報構築部２０１は、制御情報解析部１０３から送られた編集点に関する記録ナビゲーションデータ及び解析後の記録ナビゲーションデータ、又は上記の編集点に関する編集ナビゲーションデータ及び解析後の編集ナビゲーションデータに基づいて、制御情報読み出し部１０６から送られた編集ナビゲーションデータを再構築する。この際、再構築された編集ナビゲーションデータを参照することによって記録媒体１０７に記録されているデジタルコンテンツが再生されるように、再構築されたナビゲーションデータが記録ナビゲーションデータ又は編集ナビゲーションデータと同じ形式になるようにする。その後、制御情報構築部２０１は、再構築された編集ナビゲーションデータを制御情報読み出し部１０６を介して外部メモリ１０８に記録する。尚、外部メモリ１０８に編集ナビゲーションデータが記録されていない場合は、外部メモリ１０８に記録された編集ナビゲーションデータを再構築する代わりに、制御情報解析部１０３から送られた記録ナビゲーションデータに基づいて編集ナビゲーションデータを新たに構築し、この新たに構築された編集ナビゲーションデータを外部メモリ１０８に記録すればよい。
【０１４２】
以下、上記のようにして新たに構築された編集ナビゲーションデータの構成を具体的に説明する。
【０１４３】
図３（ａ）は、記録媒体１０７に記録された記録ナビゲーションデータ２５０の構成を示す図である。
【０１４４】
また、図３（ｂ）は、図２に示す記録媒体１０７に記録された記録デジタルコンテンツが、図３（ａ）に示す記録ナビゲーションデータ２５０を参照することにより再生される順序（再生順序）を示す図である。
【０１４５】
また、図３（ｃ）は、記録媒体１０７に実際に記録されている実データをＶＯＢＳにおけるＶＯＢＵ単位で示す図である。
【０１４６】
図３（ａ）〜（ｃ）に示すように、図３（ａ）に示す記録ナビゲーションデータ２５０（ＰＧＣ＃１）を参照することにより実データを再生する場合、図３（ｃ）に示す実データの再生順序は、図３（ｂ）に示すようになる。尚、詳しい説明については既に説明しているため省略する（「背景技術」参照）。
【０１４７】
次に、記録ナビゲーションデータに基づいて新たに構築された編集ナビゲーションデータの構成と、その編集ナビゲーションデータを参照することにより再生される実データの再生順序を説明する。
【０１４８】
図３（ｄ）は、記録ナビゲーションデータ２５０に基づいて構築する編集ナビゲーションデータにより再生したい実データの再生順序を示す図である。
【０１４９】
また、図３（ｅ）は、記録ナビゲーションデータ２５０に基づいて構築された編集ナビゲーションデータ２５１の構成を示す図である。
【０１５０】
図３（ｄ）に示すように、記録ナビゲーションデータ２５０を参照することにより再生される実データの再生順序を編集したい場合、ＤＶＤ−Ｖｉｄｅｏ規格のナビゲーションデータは実データの再生順序をＣｅｌｌ−ＩＤ単位まで指定することができるため、構築すべき編集ナビゲーションデータの構成は図３（ｅ）のようになる。
【０１５１】
図３（ｅ）に示すように、編集ナビゲーションデータ２５１を構成する例えばＰＧＣ＃１０は、実データのＣＥＬＬ−ＩＤをそれぞれ指定するＰＧ＃１〜＃１０から構成される。また、例えば、ＰＧ＃１を構成するＣＥＬＬ−ＩＤ＃１により、更に実データのＶＯＢＳにおけるＶＯＢＵ＃３０〜＃３２が指定される。同様に、ＰＧ＃２により指定されるＣＥＬＬ−ＩＤ＃３５により、実データのＶＯＢＳにおけるＶＯＢＵ＃５０が指定される。また同様に、例えばＰＧ＃１０を構成するＣＥＬＬ−ＩＤ＃１１により、実データのＶＯＢＳにおけるＶＯＢＵ＃２１〜＃２３が指定される。このような編集ナビゲーションデータの構成により、図３（ｄ）に示す再生順序で実データが再生されることになる。
【０１５２】
以上に説明したように、第２の実施形態によると、記録デジタルコンテンツを再生する際に参照される編集ナビゲーションデータを制御情報構築部２０１によって新たに構築できる。具体的には、記録媒体１０７に記録された記録ナビゲーションデータに基づいて編集ナビゲーションデータを新たに構築することができると共に、外部メモリ１０８に編集ナビゲーションデータが既に記録されている場合には、記録された編集ナビゲーションデータを再構築することができる。このため、記録媒体１０７に記録された記録ナビゲーションデータを参照することによって再生データを再生することができるだけでなく、構築された（又は再構築された）編集ナビゲーションデータを参照することによって、再生データの再生順序を変更することができる。すなわち、所望の編集ナビゲーションデータを構築することにより、再生データの再生順序を編集することができる。また、編集ナビゲーションデータを記録ナビゲーションデータに基づいて構築できるため、１つの記録ナビゲーションデータしか記録されていない記録媒体からであっても、再生データの再生順序を編集することができる。
【０１５３】
尚、第２の実施形態において、外部メモリ１０８に記録された編集ナビゲーションデータ、及び記録媒体１０７に記録された記録ナビゲーションデータのうちのいずれか１つに基づいて編集ナビゲーションデータを構築した。しかし、外部メモリ１０８に記録された編集ナビゲーションデータ、及び記録媒体１０７に記録された記録ナビゲーションデータの両方に基づいて編集ナビゲーションデータを構築してもよい。
【０１５４】
また、第２の実施形態において、再生データの編集点をＣＥＬＬ−ＩＤ単位で指定したが、ＰＧ単位で指定するようにしてもよい。
【０１５５】
また、第２の実施形態において、再生データの編集点をＣＥＬＬ−ＩＤ単位で指定したが、更にＣＥＬＬ−ＩＤによって指定されるＶＯＢＵ単位で指定すれば、再生データをＶＯＢＵ単位で編集可能な編集ナビゲーションデータを構築することができる。この場合、制御情報解析部１０３において、ＶＯＢＵ単位で構築された編集ナビゲーションデータを解析できるようにしておけば、ＶＯＢＵ単位で構築された編集ナビゲーションデータを参照することによって、ＶＯＢＵ単位で再生順序が編集された記録デジタルコンテンツを再生することができる。
【０１５６】
また、第２の実施形態において、再生データの編集点をＣＥＬＬ−ＩＤ単位で指定したが、ＶＯＢＵを構成するＰＴＳ（Ｐｒｅｓｅｎｔａｔｉｏｎ  Ｔｉｍｅ  Ｓｔａｍｐ）単位で指定すれば、再生データをフレーム単位で編集可能な編集ナビゲーションデータを構築することができる。この場合、制御情報解析部１０３において、ＰＴＳ単位で構築された編集ナビゲーションデータを解析できるようにしておけば、ＰＴＳ単位で構築された編集ナビゲーションデータを参照することによって、フレーム単位で再生順序が編集された記録デジタルコンテンツを再生することができる。
【０１５７】
また、第２の実施形態において、デジタルコンテンツを編集する編集点をＣＥＬＬ−ＩＤ単位で指定したが、エントリポイントをＰＴＴ（Ｐａｒｔ  ｏｆ  Ｔｉｔｌｅ）単位、ＰＧ単位、ＣＥＬＬ−ＩＤ単位又はＰＴＳ単位で指定すれば、順にＰＴＴ単位、ＰＧ単位、ＣＥＬＬ−ＩＤ単位又はフレーム単位で編集されたデジタルコンテンツを再生することができる。更に、再生制御情報におけるＰＴＴ単位、ＰＧ単位、ＣＥＬＬ−ＩＤ単位又はＰＴＳ単位を指定できるエントリポイント（飛び込み点）を実現することにより、例えばユーザ操作などで、エントリポイントにより指定されたＰＴＴ、ＰＧ、ＣＥＬＬ−ＩＤ又はフレームを選択できると共に、選択された点からの再生を行なうことができる。
【０１５８】
このように、エントリポイントを利用すると、再生データの編集点をエントリポイントにより指定できることに加え、例えば、ＤＶＤ−Ｒに録画されたテレビ番組の合間に含まれるコマーシャル直後のポイントに、エントリポイントによって印を付けることができると共に、その印を付けられたポイントに移動できる等の利便性が得られる。
【０１５９】
（第３の実施形態）
以下、本発明の第３の実施形態に係る記録媒体について図面を参照しながら説明する。
【０１６０】
図４は、第３の実施形態に係る記録媒体、具体的には、記録デジタルコンテンツと、この記録デジタルコンテンツを再生するために必要なナビゲーションデータ（記録ナビゲーションデータ）とが記録され、この記録ナビゲーションデータを参照することにより再生されるのが記録デジタルコンテンツの一部に限られているＤＶＤ−Ｖｉｄｅｏ規格の記録媒体の構成を示す図である。尚、従来の記録媒体には、記録されている全てのデジタルコンテンツが再生される制御情報が記録されている。
【０１６１】
図４に示すように、第３の実施形態に係る記録媒体３００には、第１のデジタルコンテンツが記録されている第１のコンテンツ領域３０１と、第２のデジタルコンテンツが記録されている第２のコンテンツ領域３０２とがある。第１のコンテンツ領域３０１における記録媒体３００に記録された第１のデジタルコンテンツは、記録媒体３００に記録された記録ナビゲーションデータを参照することによって再生される。ところが、第２のコンテンツ領域３０２における記録媒体３００に記録された第２のデジタルコンテンツは、記録媒体３００に記録された記録ナビゲーションデータを参照することによっては再生されないようになっている。
【０１６２】
以下、第３の実施形態に係る記録媒体３００に記録された第１及び第２のデジタルコンテンツ（実データ）と、記録ナビゲーションデータとの関係を説明する。
【０１６３】
図５（ａ）は、例えばＰＧＣ＃１のみからなる記録ナビゲーションデータ３５０の構成を示す図である。
【０１６４】
また、図５（ｂ）は、図５（ａ）に示す記録ナビゲーションデータ３５０を参照することにより再生される実データと、再生されない実データとを示す図である。尚、再生されない実データは、一点鎖線によって囲んでいる。
【０１６５】
また、図５（ｃ）は、図５（ｂ）に示す実データのうちで、図５（ａ）に示す記録ナビゲーションデータを参照することによって再生される実データの順序（再生順序）を示す図である。
【０１６６】
図５（ｃ）に示すように、記録ナビゲーションデータ３５０を参照することによって再生される実データの再生順序は、図５（ａ）に示す記録ナビゲーションデータ３５０によって指定される。ところが、図５（ａ）及び（ｂ）に示すように、記録ナビゲーションデータ３５０には、記録媒体３００に記録された全ての実データを指定する情報が含まれていないため、図５（ｂ）の一点鎖線で囲まれた実データ、具体的にはＶＯＢＵ１００〜１０３、２００、２０１、及び３００〜３０２は、図５（ｃ）に示す実データの再生順序の中に含まれていない。すなわち、記録ナビゲーションデータにより指定されていない実データ（つまり第２のデジタルコンテンツ）は、記録媒体３００に記録されていても再生されない。
【０１６７】
したがって、第３の実施形態によると、第２のデジタルコンテンツを再生するために必要なナビゲーションデータが記録されていないため、記録ナビゲーションデータを参照しても、第２のデジタルコンテンツを再生することができない。よって、図５（ｂ）のＶＯＢＵ１００〜１０３、２００、２０１、及び３００〜３０２で示すような、記録ナビゲーションデータを参照することによって再生されない実データを、秘密コンテンツにすることができる。このため、従来の再生装置において設定されていたパスワードが解読されたとしても、秘密コンテンツを再生するために必要なナビゲーションデータが記録されていないため、第２のデジタルコンテンツ（秘密コンテンツ）が不正に再生されることを防止することができる。
【０１６８】
尚、第３の実施形態に係る記録媒体３００が暗号化されている場合、第２のデジタルコンテンツを含むデジタルコンテンツを復号化するための暗号鍵が記録されていない、又は第２のデジタルコンテンツを含むデジタルコンテンツを復号化するための暗号鍵とは異なる暗号鍵が記録媒体３００に記録されていることが好ましい。このようにすると、第２のデジタルコンテンツを含むデジタルコンテンツを再生するために必要な再生制御情報が参照されたとしても、第２のデジタルコンテンツの不正な再生を防止することもできる。
【０１６９】
また、第３の実施形態において、記録媒体１０７の規格外の領域に、第２のデジタルコンテンツを再生するために必要な他の記録ナビゲーションデータが記録されていてもよい。この場合であっても、例えば図１に示す第１の実施形態に係るデジタルコンテンツ再生装置１００によって他の記録ナビゲーションデータを取得することができる。すなわち、まず、デジタルコンテンツ再生装置１００を構成する制御情報制御部１０２が、他の記録ナビゲーションデータが記録された規格外の場所を記録データ読み出し部１０１に指示すると共に、記録媒体１０７の指示された場所から他の記録ナビゲーションデータを取得するように要求する。その後、記録ナビゲーションデータの取得を要求された記録データ読み出し部１０１は、記録媒体１０７の規格外の場所から他の記録ナビゲーションデータを取得する。尚、記録データ読み出し部１０１によって取得された記録ナビゲーションデータを参照することにより再生データを復号化するのは前述の通りである。
【０１７０】
このようにすると、記録媒体１０７の規格外の領域から記録ナビゲーションデータを取得できない従来のデジタルコンテンツ再生装置では記録デジタルコンテンツを再生できないが、規格外の領域からも記録ナビゲーションデータを取得できるデジタルコンテンツ再生装置によれば、第２のデジタルコンテンツを再生するために必要な他の記録ナビゲーションデータを取得できる。よって、記録媒体１０７の規格外の領域に記録された記録ナビゲーションデータを参照しなければ再生できない第２のデジタルコンテンツを秘密コンテンツにすることができる。よって、上記のようなデジタルコンテンツ再生装置によると、秘密コンテンツの不正な再生を防止することができる。尚、記録媒体１０７のナビゲーションデータの規格に従った領域には、記録ナビゲーションデータが記録されていなくても、又は記録デジタルコンテンツを正しく復号化できない誤った記録ナビゲーションデータが記録されていてもよい。この場合であっても、記録媒体１０７の規格外の領域に記録された他の記録ナビゲーションデータを参照することにより第２のデジタルコンテンツの再生を確実に実現することができる。
【０１７１】
また、第３の実施形態に係る記録媒体３００と、第２のコンテンツ領域３０２における記録媒体３００に記録された第２のデジタルコンテンツを再生するために必要な他のナビゲーションデータが記録された他の記録媒体とからなる記録媒体群によれば、第２のデジタルコンテンツの不正な再生を防止することができると共に、第２のデジタルコンテンツを正当に再生することもできる。
【０１７２】
また、第３の実施形態のような秘密コンテンツを記録媒体に記録する方法は、デジタルコンテンツを記録媒体に記録する工程と、記録されたデジタルコンテンツの一部（第１のデジタルコンテンツ）を再生するために必要なナビゲーションデータに限り、デジタルコンテンツを再生する際に参照される参照制御情報として記録媒体に記録する工程とを備えることにより実現できる。その結果、記録されたナビゲーションデータを参照することによって再生されないデジタルコンテンツ（第２のデジタルコンテンツ）を秘密コンテンツとすることができる。
【０１７３】
また、第３の実施形態に係る記録媒体３００に記録された第２のデジタルコンテンツを再生する場合は、記録媒体３００とは異なる他の記録媒体に記録され、且つ第２のデジタルコンテンツを再生するために必要な他の記録ナビゲーションデータを、例えば図１に示す第１の実施形態に係るデジタルコンテンツ再生装置により読み出せばよい。
【０１７４】
（第４の実施形態）
以下、本発明の第４の実施形態に係るデジタルコンテンツ再生装置について図面を参照しながら説明する。
【０１７５】
図６は、第４の実施形態に係るデジタルコンテンツ再生装置の構成を示す図である。尚、図６において、図１に示す第１の実施形態に係るデジタルコンテンツ再生装置１００と同一の構成要素には同一の符号を付す。
【０１７６】
図６に示すように、本実施形態に係るデジタルコンテンツ再生装置４００は、記録データ読み出し部１０１と、制御情報解析部１０３と、再生データ取得部１０４と、再生データ復号部１０５と、暗号鍵受け取り部４０１と、暗号鍵制御部４０２と暗号鍵読み出し部４０３とから構成される。
【０１７７】
上記の構成の中で本実施形態の特徴となるのは、暗号鍵制御部４０２及び暗号鍵読み出し部４０３にある。具体的には、記録媒体１０７に記録された記録デジタルコンテンツを復号化するための暗号鍵が記録媒体１０７に記録されていない場合でも、例えば外部メモリ１０８に記録された暗号鍵を暗号鍵読み出し部４０３によって取得することにより、暗号化された記録デジタルコンテンツの復号化を実現することができることを特徴とする。
【０１７８】
一般に、ＤＶＤ−Ｖｉｄｅｏ規格の記録媒体の記録デジタルコンテンツは、ＣＳＳ（Ｃｏｎｔｅｎｔ  Ｓｃｒａｍｂｌｉｎｇ  Ｓｙｓｔｅｍ）により暗号化されており、これにより不正コピーの防止が図られている。よって、以下、記録媒体１０７に記録されたデジタルコンテンツがＣＳＳによって暗号化されている場合について説明する。尚、記録デジタルコンテンツを復号化するための暗号鍵は、記録媒体１０７には記録されておらず、外部メモリ１０８に記録されているとする。
【０１７９】
まず、外部メモリ１０８に記録された暗号鍵を用いて記録デジタルコンテンツを再生する場合、暗号鍵受け取り部４０１が、外部メモリ１０８に記録されている暗号鍵の取得を暗号鍵制御部４０２に要求する。暗号鍵の取得を要求された暗号鍵制御部４０２は、暗号鍵読み出し部４０３に外部メモリ１０８に記録された暗号鍵の取得を要求する。暗号鍵の取得を要求された暗号鍵読み出し部４０３は、外部メモリ１０８に記録された暗号鍵を取得した後、取得された暗号鍵を暗号鍵制御部４０２に送る。暗号鍵を送られた暗号鍵制御部４０２は、送られた暗号鍵を暗号鍵受け取り部４０１に送る。暗号鍵を送られた暗号鍵受け取り部４０１は、送られた暗号鍵を再生データ復号部１０５に設定する。暗号鍵を設定された再生データ復号部１０５は、設定された暗号鍵を用いて、再生データ取得部１０４から送られた再生データの復号化を行なう。尚、再生データ復号部１０５に再生データが送られるまでの流れは、第１の実施形態において説明した通りである。
【０１８０】
このように、第４の実施形態によると、記録デジタルコンテンツが記録された記録媒体１０７とは異なる外部メモリ１０８に記録された暗号鍵を暗号鍵読み出し部４０３によって読み出すことができると共に、読み出された暗号鍵を用いて、暗号化された記録デジタルコンテンツを復号化できる。よって、暗号化された記録デジタルコンテンツを復号化するための暗号鍵が記録媒体１０７に記録されていない場合であっても、記録デジタルコンテンツを復号化することができる。すなわち、暗号化された部分の記録デジタルコンテンツを、パソコンなどで不正に読み出したとしても、再生できない秘密コンテンツにすることができる。したがって、記録媒体１０７に記録された秘密コンテンツの不正な再生を防止することができる。
【０１８１】
尚、第４の実施形態において、外部メモリ１０８は、不揮発性の外部メモリであってもよいし、不揮発性若しくは揮発性の内部メモリ、又はネットワーク上で利用可能になっている記録媒体であってもよい。
【０１８２】
また、第４の実施形態において、記録デジタルコンテンツの暗号化された部分のうちの特定部分を復号化する暗号鍵が記録媒体１０７に記録されていてもよい。この場合、記録デジタルコンテンツの暗号化された部分のうち上記の特定部分以外の部分を復号化するための暗号鍵が外部メモリ１０８に記録されていれば、特定部分以外の部分を秘密コンテンツとして、秘密コンテンツの不正な再生を防止することができる。また、この場合、外部メモリ１０８に記録された暗号鍵及び記録媒体１０７に記録された暗号鍵のうちの少なくとも１つを用いて再生データを復号化すればよい。
【０１８３】
また、第４の実施形態において、外部メモリ１０８に記録された暗号鍵は、記録媒体１０７の規格外の領域に記録されていてもよい。この場合、その暗号鍵を取得するためには、まず、デジタルコンテンツ再生装置４００を構成する暗号鍵制御部４０２が、暗号鍵が記録された規格外の場所を記録データ読み出し部１０１に指示すると共に、記録媒体１０７の指示された場所から暗号鍵を取得するように要求する。その後、暗号鍵の取得を要求された記録データ読み出し部１０１は、記録媒体１０７の規格外の場所から暗号鍵を取得する。尚、記録データ読み出し部１０１によって取得された暗号鍵を用いて再生データを復号化するのは前述の通りである。
【０１８４】
このようにすると、記録媒体１０７の規格外の領域から暗号鍵を取得できない従来のデジタルコンテンツ再生装置では記録デジタルコンテンツを再生できないが、規格外の領域からも暗号鍵を取得できるデジタルコンテンツ再生装置によれば、記録デジタルコンテンツを再生できる。上記のようなデジタルコンテンツ再生装置によると、秘密コンテンツの不正な再生を防止することができる。尚、記録媒体１０７の暗号鍵の規格に従った領域には、暗号鍵が記録されていなくても、又は記録デジタルコンテンツを復号化できない誤った暗号鍵が記録されていてもよい。この場合であっても、記録媒体１０７の規格外の領域に記録された暗号鍵を用いて記録デジタルコンテンツの再生を実現することができる。
【０１８５】
また、第４の実施形態において、図１に示す制御情報制御部１０２及び制御情報読み出し部１０６を更に備えていることが好ましい。このようにすると、記録媒体１０７に記録された記録ナビゲーションデータを参照することによって再生することのできない秘密コンテンツが記録媒体１０７に記録されている場合であって、更にその秘密コンテンツを復号化する暗号鍵が記録媒体１０７に記録されていないときでも、この秘密コンテンツを外部メモリ１０７に記録されたナビゲーションデータを参照すると共に、暗号鍵を用いて復号化することができる。よって、記録媒体１０７に記録された秘密コンテンツの不正な再生を更に根本的に防止することができる。尚、暗号鍵制御部４０２が制御情報制御部１０２の機能を有すると共に、暗号鍵読み出し部４０３が制御情報制御部１０６の機能を有していてもよい。
【０１８６】
（第５の実施形態）
以下、本発明の第５の実施形態に係る記録媒体について図面を参照しながら説明する。
【０１８７】
図７は、第５の実施形態に係る記録媒体、具体的には、記録された暗号鍵では全ての記録デジタルコンテンツを復号化することができない例えばＤＶＤ−Ｖｉｄｅｏ規格の記録媒体の構成を示す図である。
【０１８８】
図７に示すように、第５の実施形態に係る記録媒体５００には、暗号鍵が記録された暗号鍵領域５０１と、暗号鍵領域５０１に記録された暗号鍵を用いて復号化できる第３のデジタルコンテンツが記録された第３のコンテンツ領域５０２と、暗号鍵領域５０１に記録された暗号鍵を用いて復号化できない第４のデジタルコンテンツが記録された第４のコンテンツ領域５０３とから構成される。
【０１８９】
第５の実施形態によると、暗号鍵領域５０１における記録媒体５００に記録された暗号鍵では、第３のコンテンツ領域５０２に記録された第３のデジタルコンテンツを復号化することはできても、第４のコンテンツ領域５０３に記録された第４のデジタルコンテンツを復号化することはできない。このため、第４のコンテンツ領域５０３に記録された第４のデジタルコンテンツの不正な再生を防止することができる。
【０１９０】
尚、第５の実施形態において、記録媒体１０７の規格外の領域に、第４のデジタルコンテンツを復号化するための他の暗号鍵が記録されていてもよい。この場合であっても、例えば図６に示す第４の実施形態に係るデジタルコンテンツ再生装置４００によって他の暗号鍵を取得することができる。すなわち、まず、デジタルコンテンツ再生装置４００を構成する暗号鍵制御部４０２が、他の暗号鍵が記録された規格外の場所を記録データ読み出し部１０１に指示すると共に、記録媒体１０７の指示された場所から他の暗号鍵を取得するように要求する。その後、他の暗号鍵の取得を要求された記録データ読み出し部１０１は、記録媒体１０７の規格外の場所から他の暗号鍵を取得する。尚、記録データ読み出し部１０１によって取得された暗号鍵を用いて再生データを復号化するのは前述の通りである。
【０１９１】
このようにすると、記録媒体１０７の規格外の領域から他の暗号鍵を取得できない従来のデジタルコンテンツ再生装置では第４のデジタルコンテンツを再生できないが、規格外の領域からも暗号鍵を取得できるデジタルコンテンツ再生装置によれば、第４のデジタルコンテンツを復号化するための他の暗号鍵を取得できる。よって、記録媒体１０７の規格外の領域に記録された他の暗号鍵を用いなけれ復号化できない第４のデジタルコンテンツを秘密コンテンツにすることができる。よって、上記のようなデジタルコンテンツ再生装置によると、秘密コンテンツの不正な再生を防止することができる。尚、記録媒体１０７の暗号鍵の規格に従った領域には、暗号鍵が記録されていなくても、又は記録デジタルコンテンツを復号化できない誤った暗号鍵が記録されていてもよい。この場合であっても、記録媒体１０７の規格外の領域に記録された暗号鍵を用いて記録デジタルコンテンツの再生を実現することができる。
【０１９２】
また、第５の実施形態に係る記録媒体５００と、第４のコンテンツ領域５０３における記録媒体５００に記録された記録デジタルコンテンツを復号化するための暗号鍵が記録された他の記録媒体とからなる記録媒体群によれば、第４のコンテンツ領域５０３における記録媒体５００に記録された記録デジタルコンテンツの不正な再生を防止することできると共に、正当な手段によって再生することもできる。
【０１９３】
また、第５の実施形態のような秘密コンテンツを記録媒体に記録する方法は、暗号化されたデジタルコンテンツを記録媒体に記録する工程と、記録されたデジタルコンテンツのうちの特定部分（第３のコンテンツ領域５０２に記録された記録デジタルコンテンツ）を復号化するための暗号鍵に限り記録媒体に記録する工程とを備えることにより実現できる。その結果、特定部分以外のデジタルコンテンツ（第４のコンテンツ領域５０３に記録された記録デジタルコンテンツ）を秘密コンテンツとすることができる。
【０１９４】
（第６の実施形態）
以下、本発明の第６の実施形態に係るデジタルコンテンツコピー装置について図面を参照ながら説明する。
【０１９５】
図８は、第６の実施形態に係るデジタルコンテンツコピー装置の構成、具体的には、記録媒体に記録されたデジタルコンテンツ（以下、記録デジタルコンテンツと称する）のコピーされる順序（コピー順序）を編集する機能を有するデジタルコンテンツコピー装置の構成を示すブロック図である。尚、本実施形態に係るデジタルコンテンツコピー装置は、様々なデジタルコンテンツ及び記録媒体に対応するものである。しかしながら、本実施形態においては、ＤＶＤ−Ｖｉｄｅｏ規格に準拠したデジタルコンテンツをコピーする装置を例にして説明する。
【０１９６】
図８に示すように、第６の実施形態に係るデジタルコンテンツコピー装置６００は、記録データ読み出し部６０１と、コピー制御情報制御部６０２と、制御情報解析部６０３と、コピーデータ取得部６０４と、コピーデータ復号部６０５と、コピー制御情報読み出し部６０６とから構成される。
【０１９７】
次に、上記の構成により、記録デジタルコンテンツがコピーされるまでの流れを各構成要素の機能と共に説明する。
【０１９８】
まず、制御情報解析部６０３が、ビデオタイトルセット情報（ＶＴＳＩ）又はビデオマネージャー情報（ＶＭＧＩ）からなるコピー制御情報（ナビゲーションデータ）を取得するようにコピー制御情報制御部６０２に要求する。この際、記録媒体６０７に記録された記録デジタルコンテンツのコピー順序を変更してコピーするという設定になっていた場合には、コピー制御情報制御部６０２が、外部メモリ６０８に記録されたナビゲーションデータ（以下、編集ナビゲーションデータと称する）を取得するようにコピー制御情報読み出し部６０６に要求する。編集ナビゲーションデータの取得を要求されたコピー制御情報読み出し部６０６は、外部メモリ６０８に記録された編集ナビゲーションデータを読み出した後、読み出された編集ナビゲーションデータをコピー制御情報制御部６０２に送る。編集ナビゲーションデータを送られたコピー制御情報制御部６０２は、その送られた編集ナビゲーションデータを制御情報解析部６０３に送る。編集ナビゲーションデータを送られた制御情報解析部６０３は、その編集ナビゲーションデータを参照ナビゲーションデータとして参照することにより、記録媒体６０７に実際に記録されているデータのコピー位置をコピーデータ取得部６０４に送る。データのコピー位置を送られたコピーデータ取得部６０４は、コピーするデータ（以下、コピーデータと称する）を取得するように記録データ読み出し部６０１に要求する。コピーデータの取得を要求された記録データ読み出し部６０１は、取得を要求されたコピーデータを記録媒体６０７から読み出した後、読み出されたコピーデータをコピーデータ取得部６０４に送る。コピーデータが送られたコピーデータ取得部６０４は、そのコピーデータをコピーデータ復号部６０５に送る。コピーデータが送られたコピーデータ復号部６０５は、ＭＰＥＧ形式で圧縮されたコピーデータのデコードを行なう。これにより、コピーデータに基づく映像及び音声がコピーされる。
【０１９９】
また、従来のコピー装置のように、記録媒体６０７に記録された記録ナビゲーションデータを参照ナビゲーションデータとして記録デジタルコンテンツを再生する場合には、参照ナビゲーションデータの取得を要求する際、コピー制御情報制御部６０２が、記録媒体６０７に記録された記録ナビゲーションデータを取得するように記録データ読み出し部６０１に要求すればよい。
【０２００】
このように、第６の実施形態によると、記録デジタルコンテンツをコピーする際に参照される参照ナビゲーションデータを、コピー制御情報制御部６０２によって、記録媒体６０７に記録された記録ナビゲーションデータから、外部メモリ６０８に記録された編集ナビゲーションデータに切り替えることができる。このため、外部メモリ６０８に記録された編集ナビゲーションデータを参照することにより、コピーデータのコピー順序を変えることができる。また、参照ナビゲーションデータの取得元を、記録媒体６０７にするか、又は外部メモリ６０８にするかを判断するだけで、コピーデータのコピー順序を容易に変えることができる。すなわち、例えば記録データ読み出し部６０１、コピーデータ取得部６０４及びコピーデータ復号部６０５等の従来からある構成要素を変更することなく、且つ従来のコピー制御を行なうだけで、コピーデータのコピー順序を容易に変更することができる。
【０２０１】
尚、第６の実施形態において、外部メモリ６０８は、不揮発性の外部メモリ、不揮発性若しくは揮発性の内部メモリ、又はネットワーク上で利用可能になっている記録媒体であってもよい。
【０２０２】
また、第６の実施形態において、外部メモリ６０８に記録された編集ナビゲーションデータに限って取得する場合について説明した。しかし、外部メモリ６０８に記録された編集ナビゲーションデータ及び記録媒体６０７に記録された記録ナビゲーションデータを両方取得すると共に、この二つのナビゲーションデータを参照ナビゲーションデータとして参照することにより記録デジタルコンテンツをコピーしてもよい。
【０２０３】
また、第６の実施形態においては、編集ナビゲーションデータが外部メモリ６０８に記録されていたが、記録媒体６０７に記録されていてもよい。このような場合であっても、コピー制御情報制御部６０２が、記録媒体６０７から記録ナビゲーションデータ及び編集ナビゲーションデータのうちの少なくとも１つを取得するように記録データ読み出し部６０１に要求すればよい。尚、この場合、コピー制御情報読み出し部６０６は備えられていなくてもよい。また、編集ナビゲーションデータが外部メモリ６０８に記録されていない場合、編集ナビゲーションデータは、記録媒体６０７の規格で許されている領域のうちユーザが自由に利用できる部分、記録ナビゲーションデータが書き込まれている領域以外の場所のディレクトリ、又は、ファイル名、拡張子、若しくは通常のドライブでは読み出すことのできないファイルの最初以前の部分や最終端以降の部分に記録されていてもよい。
【０２０４】
また、第６の実施形態において、記録媒体６０７に記録された記録デジタルコンテンツはＤＶＤ−Ｖｉｄｅｏ規格に準拠していた。しかし、記録媒体６０７に記録された記録デジタルコンテンツが他の規格に準拠している場合であっても、記録媒体６０７に記録された制御情報とは異なる他の制御情報を外部メモリ６０８から読み出せば、同様の効果が得られる。
【０２０５】
また、第６の実施形態において、記録媒体６０７に記録された記録ナビゲーションデータ、及び外部メモリ６０８に記録された編集ナビゲーションデータのうちの一方を参照ナビゲーションデータとして選択した後、その選択されたナビゲーションデータを取得した。しかし、記録ナビゲーションデータ及び編集ナビゲーションデータを共に取得した後に、そのうちの一方を参照ナビゲーションデータとして選択してもよい。尚、この場合、取得した記録ナビゲーションデータ及び参照ナビゲーションデータを共に参照ナビゲーションデータとして参照してもよい。
【０２０６】
（第７の実施形態）
以下、本発明の第７の実施形態に係るデジタルコンテンツ再生装置について図面を参照ながら説明する。
【０２０７】
図９は、第１の実施形態に係るデジタルコンテンツ再生装置の構成、具体的には、記録媒体に記録されたデジタルコンテンツ（以下、記録デジタルコンテンツと称する）の再生される順序（再生順序）を編集する機能を有するデジタルコンテンツ再生装置の構成を示すブロック図である。尚、本実施形態に係るデジタルコンテンツ再生装置は、様々なデジタルコンテンツ及び記録媒体に対応するものである。しかしながら、本実施形態においては、ＤＶＤ−Ｖｉｄｅｏ規格に準拠したデジタルコンテンツを再生する装置を例にして説明する。
【０２０８】
図９に示すように、第７の実施形態に係るデジタルコンテンツ再生装置７００は、記録データ読み出し部７０１と、再生／コピー制御情報制御部７０２と、制御情報解析部７０３と、再生データ取得部７０４と、再生データ復号部７０５と、再生／コピー制御情報読み出し部７０６と、コピー制御部７０７とから構成される。
【０２０９】
次に、上記の構成により、記録デジタルコンテンツが再生されるまでの流れを各構成要素の機能と共に説明する。
【０２１０】
まず、制御情報解析部７０３が、ビデオタイトルセット情報（ＶＴＳＩ）又はビデオマネージャー情報（ＶＭＧＩ）からなる再生制御情報（ナビゲーションデータ）を取得するように再生／コピー制御情報制御部７０２に要求する。この際、記録媒体７０８に記録された記録デジタルコンテンツの再生順序を変更して再生するという設定になっていた場合には、再生／コピー制御情報制御部７０２が、外部メモリ７０９に記録されたナビゲーションデータ（以下、編集ナビゲーションデータと称する）を取得するように再生／コピー制御情報読み出し部７０６に要求する。編集ナビゲーションデータの取得を要求された再生／コピー制御情報読み出し部７０６は、外部メモリ７０９に記録された編集ナビゲーションデータを読み出した後、読み出された編集ナビゲーションデータを再生／コピー制御情報制御部７０２に送る。編集ナビゲーションデータを送られた再生／コピー制御情報制御部７０２は、その送られた編集ナビゲーションデータを制御情報解析部７０３に送る。編集ナビゲーションデータを送られた制御情報解析部７０３は、その編集ナビゲーションデータを参照ナビゲーションデータとして参照することにより、記録媒体７０８に実際に記録されているデータの再生位置を再生データ取得部７０４に送る。データの再生位置を送られた再生データ取得部７０４は、再生するデータ（以下、再生データと称する）を取得するように記録データ読み出し部７０１に要求する。再生データの取得を要求された記録データ読み出し部７０１は、取得を要求された再生データを記録媒体７０８から読み出した後、読み出された再生データを再生データ取得部７０４に送る。再生データが送られた再生データ取得部７０４は、その再生データを再生データ復号部７０５に送る。再生データが送られた再生データ復号部７０５は、ＭＰＥＧ形式で圧縮された再生データのデコードを行なう。これにより、再生データに基づく映像及び音声が再生される。再生データ復号部７０５により再生された映像及び音声はコピー制御部７０７に送られる。
【０２１１】
尚、従来の再生装置のように、記録媒体７０８に記録された記録ナビゲーションデータを参照ナビゲーションデータとして記録デジタルコンテンツを再生する場合には、参照ナビゲーションデータの取得を要求する際、再生／コピー制御情報制御部７０２が、記録媒体７０８に記録された記録ナビゲーションデータを取得するように記録データ読み出し部７０１に要求すればよい。
【０２１２】
次に、コピー制御部７０７が、ビデオタイトルセット情報（ＶＴＳＩ）又はビデオマネージャー情報（ＶＭＧＩ）からなるコピー制御情報を取得するように再生／コピー制御情報制御部７０２に要求する。続いて、再生／コピー制御情報制御部７０２が、記録媒体７０８に記録されたコピー制御情報を取得するように記録データ読み出し部７０１に要求する。コピー制御情報の取得を要求された記録データ読み出し部７０１は、記録媒体７０８に記録されたコピー制御情報を読み出した後、読み出されたコピー制御情報を再生／コピー制御情報制御部７０２に送る。コピー制御情報を送られた再生／コピー制御情報制御部７０２は、その送られたコピー制御情報をコピー制御部７０７に送る。コピー制御情報を送られたコピー制御部７０７は、その送られたコピー制御情報を参照し、記録媒体７０８からの再生データをコピーすることがコピー制御情報により禁止されている場合には、再生データ復号部７０５により再生された映像及び音声の他の記録媒体へのコピーを防止する。
【０２１３】
尚、外部メモリ７０９に記録されたコピー制御情報を参照する場合には、再生／コピー制御情報制御部７０２が、外部メモリ７０９に記録されたコピー制御情報を取得するように再生／コピー制御情報読み出し部７０６に要求すればよい。
【０２１４】
以上に説明したように、第７の実施形態によると、記録デジタルコンテンツを再生する際に参照される参照ナビゲーションデータを、再生／コピー制御情報制御部７０２によって、記録媒体７０８に記録された記録ナビゲーションデータから、外部メモリ７０９に記録された編集ナビゲーションデータに切り替えることができる。このため、外部メモリ７０９に記録された編集ナビゲーションデータを参照することにより、再生データの再生順序を変えることができる。また、参照ナビゲーションデータの取得元を、記録媒体７０８にするか、又は外部メモリ７０９にするかを判断するだけで、再生データの再生順序を容易に変えることができる。すなわち、例えば記録データ読み出し部７０１、再生データ取得部７０４及び再生データ復号部７０５等の従来からある構成要素を変更することなく、且つ従来の再生制御を行なうだけで、再生データの再生順序を容易に変更することができる。
【０２１５】
尚、第７の実施形態において、外部メモリ７０９は、不揮発性の外部メモリ、不揮発性若しくは揮発性の内部メモリ、又はネットワーク上で利用可能になっている記録媒体であってもよい。
【０２１６】
また、第７の実施形態において、外部メモリ７０９に記録された編集ナビゲーションデータに限って取得する場合について説明した。しかし、外部メモリ７０９に記録された編集ナビゲーションデータ及び記録媒体７０８に記録された記録ナビゲーションデータを両方取得すると共に、この二つのナビゲーションデータを参照ナビゲーションデータとして参照することにより記録デジタルコンテンツを再生してもよい。
【０２１７】
また、第７の実施形態においては、編集ナビゲーションデータが外部メモリ７０９に記録されていたが、記録媒体７０８に記録されていてもよい。このような場合であっても、再生／コピー制御情報制御部７０２が、記録媒体７０８から記録ナビゲーションデータ及び編集ナビゲーションデータのうちの少なくとも１つを取得するように記録データ読み出し部７０１に要求すればよい。尚、この場合、再生／コピー制御情報読み出し部７０６は備えられていなくてもよい。また、編集ナビゲーションデータが外部メモリ７０９に記録されていない場合、編集ナビゲーションデータは、記録媒体７０８の規格で許されている領域のうちユーザが自由に利用できる部分、記録ナビゲーションデータが書き込まれている領域以外の場所のディレクトリ、又は、ファイル名、拡張子、若しくは通常のドライブでは読み出すことのできないファイルの最初以前の部分や最終端以降の部分に記録されていてもよい。
【０２１８】
また、第７の実施形態において、記録媒体７０８に記録された記録デジタルコンテンツはＤＶＤ−Ｖｉｄｅｏ規格に準拠していた。しかし、記録媒体７０８に記録された記録デジタルコンテンツが他の規格に準拠している場合であっても、記録媒体７０８に記録された制御情報とは異なる他の制御情報を外部メモリ７０９から読み出せば、同様の効果が得られる。
【０２１９】
また、第７の実施形態において、記録媒体７０８に記録された記録ナビゲーションデータ、及び外部メモリ７０９に記録された編集ナビゲーションデータのうちの一方を参照ナビゲーションデータとして選択した後、その選択されたナビゲーションデータを取得した。しかし、記録ナビゲーションデータ及び編集ナビゲーションデータを共に取得した後に、そのうちの一方を参照ナビゲーションデータとして選択してもよい。尚、この場合、取得した記録ナビゲーションデータ及び参照ナビゲーションデータを共に参照ナビゲーションデータとして参照してもよい。
【産業上の利用可能性】
【０２２０】
以上のように、本発明のデジタルコンテンツ再生装置、デジタルコンテンツ再生方法、記録媒体、及び秘密コンテンツの記録方法は、記録媒体に記録されたデジタルコンテンツの不正な再生の防止、又は再生されるデジタルコンテンツの再生順序の編集を実現することができるため、デジタルコンテンツの再生装置等に有用である。
【図面の簡単な説明】
【０２２１】
【図１】本発明の第１の実施形態に係るデジタルコンテンツ再生装置（ナビゲーションデータ関連）の構成を示すブロック図である。
【図２】本発明の第２の実施形態に係るデジタルコンテンツ編集再生装置（ナビゲーションデータ関連）の構成を示すブロック図である。
【図３】（ａ）は、図２に示す記録媒体１０７に記録されたナビゲーションデータ２５０の構成を示す図であり、（ｂ）は、（ａ）に示す記録ナビゲーションデータ２５０を参照することにより再生される実データの順番を示す図であり、（ｃ）は、図２に示す記録媒体１０７に記録された実データを示す図であり、（ｄ）は、図２に示すデジタルコンテンツ編集再生装置２００により構築された編集ナビゲーションデータを参照することにより再生される実データの順番を示す図であり、（ｅ）は、図２に示すデジタルコンテンツ編集再生装置２００により構築された編集ナビゲーションデータの構成を示す図である。
【図４】本発明の第３の実施形態に係る記録媒体（ナビゲーションデータ関連）の構成を示す図である。
【図５】（ａ）は図４に示す第３の実施形態に係る記録媒体３００に記録された記録ナビゲーションデータ３５０の構成を示す図であり、（ｂ）は、（ａ）に示す記録ナビゲーションデータ３５０を参照することにより再生される実データ及び再生されない実データを示す図であり、（ｃ）は、（ａ）に示す記録ナビゲーションデータ３５０を参照することにより再生される実データの順番を示す図である。
【図６】本発明の第４の実施形態に係るデジタルコンテンツ再生装置（暗号化鍵関連）の構成を示すブロック図である。
【図７】本発明の第５の実施形態に係る記録媒体（暗号化鍵関連）の構成を示す図である。
【図８】本発明の第６の実施形態に係るデジタルコンテンツコピー装置の構成を示すブロック図である。
【図９】本発明の第７の実施形態に係るデジタルコンテンツ再生装置の構成を示すブロック図である。
【図１０】従来のデジタルコンテンツ再生装置の構成を示すブロック図である。
【図１１】（ａ）は、従来の記録媒体に記録されたナビゲーションデータ１０の構成を示す図であり、（ｂ）は、記録媒体に記録された実データを示す図であり、（ｃ）は、従来のデジタルコンテンツ再生装置１を用いて（ａ）に示す記録ナビゲーションデータ１０を参照することにより再生される実データの順番を示す図である。
【図１２】従来のデジタルコンテンツ再生装置の構成を示すブロック図である。
【符号の説明】
【０２２２】
１００  デジタルコンテンツ再生装置
１０１  記録データ読み出し部
１０２  制御情報制御部
１０３  制御情報解析部
１０４  再生データ取得部
１０５  再生データ復号部
１０６  制御情報読み出し部
１０７  記録媒体
１０８  外部メモリ等
２００  デジタルコンテンツ編集再生装置
２０１  制御情報構築部
２５０  記録ナビゲーションデータ
２５１  編集ナビゲーションデータ
３００  記録媒体
３０１  第１のコンテンツ領域
３０２  第２のコンテンツ領域
３５０  記録ナビゲーションデータ
４００  デジタルコンテンツ再生装置
４０１  暗号鍵受け取り部
４０２  暗号鍵制御部
４０３  暗号鍵読み出し部
５００  記録媒体
５０１  暗号鍵領域
５０２  第３のコンテンツ領域
５０３  第４のコンテンツ領域
６００  デジタルコンテンツコピー装置
６０１  記録データ読み出し部
６０２  コピー制御情報制御部
６０３  制御情報解析部
６０４  コピーデータ取得部
６０５  コピーデータ復号部
６０６  コピー制御情報読み出し部
６０７  記録媒体
６０８  外部メモリ等
７００  デジタルコンテンツ再生装置
７０１  記録データ読み出し部
７０２  再生／コピー制御情報制御部
７０３  制御情報解析部
７０４  再生データ取得部
７０５  再生データ復号部
７０６  再生／コピー制御情報読み出し部
７０７  コピー制御部
７０８  記録媒体
７０９  外部メモリ等
【図１】
2005124008.tif 000003
【図２】
2005124008.tif 000004
【図３】
2005124008.tif 000005
【図４】
2005124008.tif 000006
【図５】
2005124008.tif 000007
【図６】
2005124008.tif 000008
【図７】
2005124008.tif 000009
【図８】
2005124008.tif 000010
【図９】
2005124008.tif 000011
【図１０】
2005124008.tif 000012
【図１１】
2005124008.tif 000013
【図１２】
2005124008.tif 000014